(57)【要約】【課題】番組の視聴予約を番組を構成する項目（小番組）単位でも行える情報処理装置を提供する。【解決手段】本発明の情報処理装置は、上記番組情報データに基づいて、一つの番組が複数の小番組で構成される番組の当該小番組に関する小番組情報を表示手段に表示させる表示制御手段と、上記受信手段により受信された番組コンテンツデータに含まれる上記小番組の小番組コンテンツデータに対して所定の処理を実行する処理手段と、上記表示手段に表示された上記小番組情報より任意の小番組を指定して当該指定された小番組に対する処理を所定時間に実行するようにタイマ予約する予約設定手段とを備えて構成される。【選択図】      図１
2004194222.tif 000002
【特許請求の範囲】
【請求項１】
テレビジョン放送により伝送される番組コンテンツデータと番組に関する番組情報データとを受信手段で受信して処理する情報処理装置であって、
上記番組情報データに基づいて、一つの番組が複数の小番組で構成される番組の当該小番組に関する小番組情報を表示手段に表示させる表示制御手段と、
上記受信手段により受信された番組コンテンツデータに含まれる上記小番組の小番組コンテンツデータに対して所定の処理を実行する処理手段と、
上記表示手段に表示された上記小番組情報より任意の小番組を指定して当該指定された小番組に対する処理を所定時間に実行するようにタイマ予約する予約設定手段とを備えることを特徴とする情報処理装置。
【請求項２】
上記処理手段は、上記小番組コンテンツデータの表示又は記録であることを特徴とする請求項１に記載の情報処理装置。
【請求項３】
上記表示制御手段は、上記番組情報データを表示して上記小番組情報を表示しない第１のモードと、上記番組情報とともに上記小番組情報を表示する第２のモードとを有し、当該第１のモードと第２のモードとを切換え可能であることを特徴とする請求項１に記載の情報処理装置。
【請求項４】
上記表示制御手段は上記第１のモードにおいて、上記番組情報データを番組表の形態で上記表示手段に表示させ、更に、上記複数の小番組で構成される番組であることを示すマーク表示を上記番組表内に表示させることを特徴とする請求項３に記載の情報処理装置。
【請求項５】
上記表示制御手段は、上記予約設定手段により上記小番組に対してタイマ予約が設定された場合、上記マーク表示の表示形態を変更することを特徴とする請求項４に記載の情報処理装置。
【請求項６】
上記表示制御手段は、マニュアル操作による上記マーク表示の指示に応じて上記第１のモードから上記第２のモードへ切換えることを特徴とする請求項４に記載の情報処理装置。
【請求項７】
テレビジョン放送の番組データを受信して処理する情報処理装置であって、
上記番組データとして、１つの番組が複数の小番組で構成された番組データが受信された場合、当該受信番組データから、少なくとも映像データ、音声データ、及び文字データの何れかを含む小番組データ、及び小番組に関する情報を取得する取得手段と、
上記取得手段で得られた小番組情報に基づいた画面を表示すると共に、当該表示画面上において、上記小番組情報に基づき上記複数の小番組をジャンル別に色分けして画面表示する表示手段とを備えることを特徴とする情報処理装置。
【請求項８】
上記取得手段で得られた小番組データに対して所定の処理を実行する処理手段と、
上記表示手段による表示画面上から指定された任意の小番組に対する処理を所定時間に実行するようにタイマ予約する予約設定手段とを備えることを特徴とする請求項７記載の情報処理装置。
【請求項９】
上記表示手段による表示画面上において、視聴予約及び録画予約の少なくとも何れかの予約を希望する小番組を指定する指定手段を備え、
上記予約設定手段は、上記指定手段で指定された小番組について、該当する予約時間に当該小番組に対する処理を実行するように上記処理手段を制御することを特徴とする請求項１又は８記載の情報処理装置。
【請求項１０】
テレビジョン放送の送信側と受信側を含む番組放送システムであって、
上記受信側は、請求項１〜９の何れか１項に記載の情報処理装置の機能を有することを特徴とする番組放送システム。
【請求項１１】
テレビジョン放送により伝送される番組コンテンツデータと番組に関する番組情報データとを受信して処理する情報処理方法であって、
上記番組情報データに基づいて、一つの番組が複数の小番組で構成される番組の当該小番組に関する小番組情報を表示手段に表示させる表示制御ステップと、
上記受信ステップにより受信された番組コンテンツデータに含まれる上記小番組の小番組コンテンツデータに対して所定の処理を実行する処理ステップと、
上記表示手段に表示された上記小番組情報より任意の小番組を指定して当該指定された小番組に対する処理を所定時間に実行するようにタイマ予約する予約設定ステップとを備えることを特徴とする情報処理方法。
【請求項１２】
上記処理ステップは、上記小番組コンテンツデータの表示又は記録であることを特徴とする請求項１１に記載の情報処理方法。
【請求項１３】
上記表示制御ステップは、上記番組情報データを表示して上記小番組情報を表示しない第１のモードと、上記番組情報データとともに上記小番組情報を表示する第２のモードとを有し、当該第１のモードと第２のモードとを切換え可能であることを特徴とする請求項１１に記載の情報処理方法。
【請求項１４】
上記表示制御ステップは上記第１のモードにおいて、上記番組情報データを番組表の形態で上記表示手段に表示させ、更に、上記複数の小番組で構成される番組であることを示すマーク表示を上記番組表内に表示させることを特徴とする請求項１３に記載の情報処理方法。
【請求項１５】
上記表示制御ステップは、上記予約設定ステップにより上記小番組に対してタイマ予約が設定された場合、上記マーク表示の表示形態を変更することを特徴とする請求項１４に記載の情報処理方法。
【請求項１６】
上記表示制御ステップは、マニュアル操作による上記マーク表示の指示に応じて上記第１のモードから上記第２のモードへ切換えることを特徴とする請求項１４に記載の情報処理方法。
【請求項１７】
テレビジョン放送の番組データを受信して処理する情報処理方法であって、
上記番組データとして、１つの番組が複数の小番組で構成された番組データが受信された場合、当該受信番組データから、少なくとも映像データ、音声データ、及び文字データの何れかを含む小番組データ、及び小番組に関する情報を取得する取得ステップと、
上記取得ステップで得られた小番組情報に基づいた画面を表示すると共に、当該表示画面上において、上記小番組情報に基づき上記複数の小番組をジャンル別に色分けして画面表示する表示ステップとを備えることを特徴とする情報処理方法。
【請求項１８】
請求項１１〜１７の何れか１項に記載の情報処理方法の処理ステップをコンピュータに実行させるためのプログラムを記録したコンピュータ読取り可能な記憶媒体。
【請求項１９】
請求項１１〜１７の何れか１項に記載の情報処理方法の処理ステップをコンピュータに実行させるためのプログラム。
【発明の詳細な説明】
【０００１】
【発明の属する技術分野】
本発明は、例えば、番組の選局及び予約録画等が可能な、ディジタル方式のテレビジョン放送の受像機等に用いられる、情報処理装置、情報処理方法、番組放送システム、それを実施するためのプログラムを記憶したコンピュータ読み取り可能な記憶媒体、及び当該プログラムに関するものである。
【０００２】
【従来の技術】
近年では、テレビジョン放送の方式として、従来のアナログ方式からディジタル方式への検討が開始され、テレビジョン放送のディジタル化という新たな技術革新を契機として、テレビジョン放送が情報通信メディアとして更に高度化し、飛躍的な発展を遂げようとしている。
既に日本国内では、衛星放送においてテレビジョン放送のディジタル化が実現されている。
【０００３】
ディジタル方式のテレビジョン放送（ディジタルテレビジョン放送）のメリットは、映像データや音声データに限らず、その他の様々なデータを付加した統合型の放送サービスが可能となることにある。さらに、ディジタルテレビジョン放送では、アナログ方式のテレビジョン放送と比べて、多チャンネル化が可能であり、例えば、“ＳｋｙＰｅｒｆｅｃｔＴＶ”のようなＣＳディジタル放送では、１００チャンネル以上の番組の放送が行われている。
【０００４】
しかしながら、番組数が多くなると、ユーザ側にとっては、多くの番組の中から所望する番組を選択する操作が複雑となる。
【０００５】
そこで、上記の問題を解決するために、ディジタル放送において、番組選択を支援する番組情報を番組提供者側から視聴者（ユーザ）に対して提供するサービスが行われている。
【０００６】
上記の番組情報提供の構成について具体的に説明すると、先ず、番組提供者側（放送局側）は、番組に関する情報である番組情報を、それぞれの放送対象の番組に対して付随して放送する。ユーザ側において、テレビジョン受像機は、当該放送番組を受信し、当該受信データから得られる番組情報に基づいて、電子番組表（ＥＰＧ：Ｅｌｅｃｔｒｏｎｉｃ  Ｐｒｏｇｒａｍ  Ｇｕｉｄｅ）を生成し、これを画面表示する。
番組情報には、番組識別番号、番組名、放送チャンネル、番組のジャンル、出演者等番組内容の説明、放送開始日時、及び放送終了日時等の情報が含まれる。
【０００７】
したがって、ユーザ（視聴者）は、ＥＰＧ画面による番組情報提供サービスにより、放送されている多番組のそれぞれを認識することができ、それらの中から所望する番組を容易に選局して視聴することができ、さらに、放送予定番組の視聴予約を行うができる。
【０００８】
しかしながら、ＥＰＧ画面上には多くの番組情報が表示されることになり、さらに、これらの番組情報は文字情報で構成されているため、ユーザは、例えば、所望するジャンルの番組を容易に見つけ難い場合がある。
【０００９】
そこで、上記の問題を解決するために、テレビジョン受像機側において、ＥＰＧ画面生成に際し、放送局側から放送番組に付随して放送されてくる番組情報から番組のジャンル情報を取得し、当該ジャンル情報に基づいて、ＥＰＧ画面上の番組欄をジャンル毎に色分けする構成が提案されている。これにより、ユーザは、所望するジャンルの番組を容易に選局することができる。
【００１０】
【発明が解決しようとする課題】
しかしながら、上述したような従来のテレビジョン受像機では、ＥＰＧ画面において、番組単位での検索や視聴予約は行えるが、番組を構成する項目に対しては視聴予約を行うことはできない。
すなわち、例えば、ある１つの番組が、複数のニュース、スポーツ情報、特集記事、及び天気予報等の複数の項目で構成されていおり、ユーザが、これらの中の特定の項目（スポーツ情報等）のみを視聴したい場合、当該特定項目のみを視聴予約することができなかった。
【００１１】
また、従来のテレビジョン受像機では、ＥＰＧ画面生成の際に、ジャンル分けが番組毎に行われるため、１つの番組が様々なジャンルの放送内容の組み合わせで構成されているような場合、当該番組をジャンルとして分類することができなかった。
例えば、１日の締めくくりの番組として、その日のニュースや、その日に行われたスポーツの結果、その日の音楽のランキング、或いは翌日の天気予報等を放送する番組は、１つのジャンルに特定できない。したがって、当該番組はジャンル分けできず、ユーザはこれを認識できないことになる。
【００１２】
そこで、本発明は、上記の欠点を除去するために成されたもので、番組の視聴予約を、番組を構成する項目単位でも行える、情報処理装置、情報処理方法、番組放送システム、それを実施するためのプログラムを記憶したコンピュータ読み取り可能な記憶媒体、及び当該プログラムを提供することを目的とする。
【００１３】
具体的には例えば、ある１つの番組が複数の項目で構成されている場合、テレビジョン受像機側は、放送局側から番組情報と共に送信されてくる放送番組の構成項目を示す番組構成情報を受信し、当該番組情報及び番組構成情報に基づきＥＰＧ画面を生成し、１つの番組を構成する複数の項目毎に視聴予約を行えるように構成する。
【００１４】
また、本発明は、番組の視聴予約を、様々なジャンルの放送内容の組み合わせで構成された番組であっても、これを容易に認識可能とする、情報処理装置、情報処理方法、番組放送システム、それを実施するためのプログラムを記憶したコンピュータ読み取り可能な記憶媒体、及び当該プログラムを提供することを目的とする。
【００１５】
具体的には例えば、ある１つの番組が複数の項目で構成されている場合、テレビジョン受像機側は、放送局側から番組情報と共に送信されてくる放送番組の構成項目を示す番組構成情報を受信し、当該番組情報及び番組構成情報に基づきＥＰＧ画面を生成するが、このとき、当該番組情報及び番組構成情報に含まれるジャンル情報に基づき、番組或いは番組を構成する複数の項目毎にジャンル分類を行い、ジャンル毎に色分けしてＥＰＧ画面を生成するように構成することで、１つの番組が、様々なジャンルにまたがる複数の項目で構成されているような場合であっても、各項目毎にジャンル分類を行えるようにする。
【００１６】
【課題を解決するための手段】
斯かる目的下において、本発明の情報処理装置は、テレビジョン放送により伝送される番組コンテンツデータと番組に関する番組情報データとを受信手段で受信して処理する装置であって、上記番組情報データに基づいて、一つの番組が複数の小番組で構成される番組の当該小番組に関する小番組情報を表示手段に表示させる表示制御手段と、上記受信手段により受信された番組コンテンツデータに含まれる上記小番組の小番組コンテンツデータに対して所定の処理を実行する処理手段と、上記表示手段に表示された上記小番組情報より任意の小番組を指定して当該指定された小番組に対する処理を所定時間に実行するようにタイマ予約する予約設定手段とを備えることを特徴とする。
【００１７】
また、本発明の情報処理装置は、テレビジョン放送の番組データを受信して処理する情報処理装置であって、上記番組データとして、１つの番組が複数の小番組で構成された番組データが受信された場合、当該受信番組データから、少なくとも映像データ、音声データ、及び文字データの何れかを含む小番組データ、及び小番組に関する情報を取得する取得手段と、上記取得手段で得られた小番組情報に基づいた画面を表示すると共に、当該表示画面上において、上記小番組情報に基づき上記複数の小番組をジャンル別に色分けして画面表示する表示手段とを備えることを特徴とする。
【００１８】
また、本発明の情報処理方法は、テレビジョン放送により伝送される番組コンテンツデータと番組に関する番組情報データとを受信して処理する情報処理方法であって、上記番組情報データに基づいて、一つの番組が複数の小番組で構成される番組の当該小番組に関する小番組情報を表示手段に表示させる表示制御ステップと、上記受信ステップにより受信された番組コンテンツデータに含まれる上記小番組の小番組コンテンツデータに対して所定の処理を実行する処理ステップと、上記表示手段に表示された上記小番組情報より任意の小番組を指定して当該指定された小番組に対する処理を所定時間に実行するようにタイマ予約する予約設定ステップとを備えることを特徴とする。
【００１９】
また、本発明の情報処理方法は、テレビジョン放送の番組データを受信して処理する方法であって、上記番組データとして、１つの番組が複数の小番組で構成された番組データが受信された場合、当該受信番組データから、少なくとも映像データ、音声データ、及び文字データの何れかを含む小番組データ、及び小番組に関する情報を取得する取得ステップと、上記取得ステップで得られた小番組情報に基づいた画面を表示すると共に、当該表示画面上において、上記小番組情報に基づき上記複数の小番組をジャンル別に色分けして画面表示する表示ステップとを備えることを特徴とする。
【００２０】
具体的には例えば、本発明を適用した番組情報放送システムにおいて、送信装置から送信されるテレビジョン放送の番組データが、映像情報（番組コンテンツデータ）、音声情報（番組コンテンツデータ）、及び番組毎の情報を示す番組情報が含まれ、更に１つの番組が複数の項目（番組中の複数の主題に対応する小番組）で構成される場合、送信装置は、映像情報、音声情報、及び番組情報（各種データ）をそれぞれ符号化し、当該符号化後のそれぞれの情報を多重化して変調して送信する。
受信装置（受像装置）は、放送装置から送信された情報を受信して、当該受信情報復調し、さらに映像情報、音声情報、及び番組情報に分離し、これらの情報を復号化し、当該復号化後の映像情報及び音声情報については、同期させて再生する。
【００２１】
特に、受信装置は、受信情報から、番組情報（番組毎の情報を示す情報）を抽出し、さらに、１つの番組が複数の項目（小番組）で構成される場合には、当該構成項目を示す番組構成情報（これらの情報をまとめて「番組情報」とも言う）とを抽出し、これらの抽出情報に基づき電子番組表を生成して画面表示する。この表示画面上で、電子番組表の中の任意の番組或いは番組を構成する任意の項目が選択されると、受信装置は、当該選択された番組或いは番組を構成する項目を番組予約情報（視聴予約や録画予約等の情報）として登録し、該当する予約時間（処理実行開始する時間）を監視する。そして、受信装置は、当該予約時間が近いことを検出すると、現在再生している映像の番組のチャンネルが、登録番組或いは番組を構成する項目のチャンネルと一致しているか否かを判定し、この判定の結果、現在再生している映像の番組のチャンネルが登録番組或いは番組を構成する項目のチャンネルと一致していない場合、登録番組或いは番組を構成する項目に関する処理（視聴或いは録画のための処理等）を実行開始することを知らせる情報を表示する。
【００２２】
上述のような構成では、１つの番組が複数の項目（小番組）で構成されているような場合、放送装置側からは、番組毎の情報を示す番組情報、及び番組の構成項目を示す番組構成情報（番組情報）が送信され、受信装置側において、当該番組情報に基づき電子番組表が生成され、この電子番組表の表示画面上から、番組毎に視聴予約或いは録画予約する以外に、番組を構成する複数の項目毎に視聴予約或いは録画予約することが可能となる。
【００２３】
また、受信装置の構成を、以下のような構成とするようにしてもよい。
例えば、受信装置は、現在表示中の番組のチャンネルが、登録番組或いは番組を構成する項目（小番組）のチャンネルと一致していないと判断した場合、現在のチャンネルを、登録番組或いは番組を構成する項目のチャンネルに強制的に変更する。
【００２４】
また、受信装置は、登録番組或いは番組の映像を、表示画面における表示可能領域よりも小さなサイズの映像に変換し、現在表示中の番組のチャンネルが、登録番組或いは小番組のチャンネルと一致していないと判断した場合、当該変換映像を、現在表示中の映像に重ねて表示する。
【００２５】
また、受信装置は、現在表示中の映像を、表示画面における表示可能領域よりも小さく、且つ上記変換映像よりも大きなサイズに変換し、現在表示中の番組のチャンネルが、登録番組或いは小番組のチャンネルと一致していないと判断した場合、これらの変換映像を合成して表示する。
【００２６】
また、受信装置は、通常状態に於いて本装置全体に供給する電源と、待機状態に於ける電源とを生成する機能を有し、本装置全体に電源が供給されていることを監視する。そして、受信装置は、待機状態における電源のみが供給されている状態で、登録番組或いは小番組が開始される時間が近いことを検出すると、本装置全体に電源を供給する。これにより、受信装置全体に電源が供給されると、受信装置は、登録番組或いは小番組が開始されることを知らせる情報をユーザに提供した後、一定時間を計時し、その計時中に、登録番組或いは小番組の映像を表示する操作が行われなかった場合、当該一定時間計時後に、本装置全体への電源の供給を停止し、待機状態に於ける電源を供給する。
【００２７】
また、受信装置は、番組構成情報が存在することを示す情報が選択されたことにより、当該番組構成情報を表示する際に、該当する番組構成情報の項目が多く、電子番組表の中の該当する番組欄に表示できないと判断した場合、電子番組表の時間軸方向の表示単位を自動的に縮小することで、該当する番組欄の表示領域を拡大し、ここに番組構成情報を表示できるようにする。
【００２８】
また、受信装置は、電子番組表に示された番組或いは小番組が選択され、当該選択番組或いは小番組が、既に同じ時間帯で登録された番組或いは小番組である場合、同じ時間帯で登録が重複していることを知らせる情報をユーザに提供する。
【００２９】
上記の番組構成情報としては、番組が構成される複数の項目に関する情報以外に、各項目の開始される時間情報、及びその番組構成情報の付加される番組の情報を含む情報を適用可能である。
【００３０】
また、電子番組表に示された番組構成情報に示された項目が選択され、これが番組予約情報と離して登録された後に、番組構成情報の表示を中止し、電子番組表の中の該当する番組に番組構成情報が存在することを示す情報を付加する際に、番組予約情報として登録された項目があることを示す修飾情報を加える。ここでの修飾情報は、上記付加情報の色や形状を変えるための情報を含む。
【００３１】
また、本発明を適用した他の番組情報放送システムにおいて、送信送信から送信されるテレビジョン放送の番組データが、映像情報、音声情報、及び番組毎の情報を示す番組情報が含まれ、更に１つの番組が複数の項目（番組中の複数の主題に対応する小番組）で構成される場合、送信装置は、映像情報、音声情報、及び番組情報（各種データ）をそれぞれ符号化し、当該符号化後のそれぞれの情報を多重化して変調して送信する。
受信装置（受像装置）は、放送装置から送信された情報を受信して、当該受信情報復調し、さらに映像情報、音声情報、及び番組情報に分離し、これらの情報を復号化し、当該復号化後の映像情報及び音声情報については、同期させて再生する。
【００３２】
特に、受信装置は、受信情報から、番組情報（番組毎の情報を示す情報）を抽出し、さらに、１つの番組が複数の項目（小番組）で構成される場合には、当該構成項目を示す番組構成情報（これらの情報をまとめて「番組情報」とも言う）とを抽出し、これらの抽出情報に基づき電子番組表を生成して画面表示する。このとき、受信装置は、番組情報及び番組構成情報に含まれる属性情報から、番組及び小番組を属性毎に分類し、電子番組表において、分類属性毎に異なった色で番組及び小番組の欄を着色する。
【００３３】
上述のような構成によれば、１つの番組が様々なジャンルにまたがる複数の項目で構成されているような場合であっても、各項目毎にジャンル分けを行うことが可能となり、例えば、スポーツの結果を知りたいといった時に、ニュースやスポーツ結果、音楽ランキング、翌日の天気予報等で構成されているような１つの番組において、スポーツ結果の放送項目がスポーツのジャンルで色分けされるため、スポーツのジャンルを容易に見つけ出すことが可能となる。
【００３４】
また、受信装置の構成を、以下のような構成とするようにしてもよい。
例えば、受信装置は、電子番組表において、分類属性毎に異なった色で、番組及び小番組の欄を着色する。
【００３５】
また、受信装置は、電子番組表において、分類属性のうち、１つ或いは複数の属性が指定された場合、当該指定属性に該当する番組及び小番組の欄を、属性毎に異なった色で着色する。
【００３６】
また、受信装置は、電子番組表の番組及び小番組の欄の属性毎の色を、外部指示に従って設定する。
【００３７】
また、受信装置は、番組構成情報の、電子番組表の中の該当する番組への表示／非表示を任意に選択可能とする。このとき、番組構成情報の非表示が選択された場合、受信装置は、電子番組表の中の該当する番組へ関連する番組構成情報があることを示す記号を表示する。
【００３８】
上記の番組情報には、番組毎にその属性情報が含まれ、上記の番組構成情報には、番組が構成される複数の項目（小番組）毎に、その項目の開始時間情報、属性情報、及びその番組構成情報の付加される番組の情報を含まれる。
【００３９】
【発明の実施の形態】
以下、本発明の実施の形態について図面を用いて説明する。
【００４０】
[第１の実施の形態]
本発明は、例えば、図１に示すようなディジタル衛星放送システム３００に適用される。
【００４１】
＜ディジタル衛星放送システム３００の全体構成＞
ディジタル衛星放送システム３００は、上記図１に示すように、映像データ、音声データ、及び各種データを含むテレビジョン放送素材（放送データ）を変調して放送波として送信（放送）する放送局側の放送装置１００と、放送装置１００から放送される電波を受信して再生する受像装置２００と、放送装置１００から放送される電波（放送波）を広い範囲で受信可能とするための宇宙空間に設けられた衛星３３０とを備えている。
【００４２】
＜放送装置１００の構成及び一連の動作＞
放送装置１００は、音声素材記憶部１０１、映像素材記憶部１０２、番組情報記憶部１０３、番組構成情報記憶部１０４、各種データ記憶部１０５、合成器１０６、音声符号化部１０７、映像符号化部１０８、データ符号化部１０９、多重化部１１０、誤り訂正情報付加部１１１、変調部１１２、及び送信アンテナ１１３を備えている。
【００４３】
放送装置１００において、まず、音声素材記憶部１０１には、放送番組の音声に関する素材（音声データ）が記憶され、映像素材記憶部１０２には、放送番組の映像に関する素材（映像データ）が記憶される。また、番組情報記憶部１０３には、放送番組に関する情報（番組情報）が記憶され、番組構成情報記憶部１０４には、放送番組を構成する項目に関する情報（番組構成情報）が記憶され、各種データ記憶部１０５には、放送番組に関するその他の各種データが記憶される。
【００４４】
音声符号化部１０７は、音声素材記憶部１０１に記憶された音声データを符号化する。
映像符号化部１０８は、映像素材記憶部１０２に記憶された映像データを符号化する。
【００４５】
映像に関する符号化方式としては、例えば、動画像圧縮技術（高効率符号化方式）の国際標準であるＭＰＥＧ２（Ｍｏｖｉｎｇ  Ｐｉｃｔｕｒｅ  Ｅｘｐｅｒｔｓ  Ｇｒｏｕｐ  ｐｈａｓｅ２）等が適用可能である。また、音声に関する符号化方式としては、例えば、マルチチャンネル音声システムに対応した高効率符号化方式である、Ｄｏｌｂｙ社が開発した“ＡＣ−３（Ａｕｄｉｏ  Ｃｏｄｉｎｈ３）”方式や、国際標準であるＭＰＥＧ２オーディオ規格としての“ＡＡＣ（Ａｄｖａｎｃｅｄ  Ａｕｄｉｏ  Ｃｏｄｉｎｇ）”方式等が適用可能である。
【００４６】
合成器１０６は、番組情報記憶部１０３内の番組情報、番組構成情報記憶部１０４内の番組構成情報、及び各種データ記憶部１０５内のデータをそれぞれ適宜読み出して１つのデータ素材とし、これをデータ符号化部１０９に供給する。
データ符号化部１０９は、合成器１０６からのデータを符号化する。
【００４７】
データに関する符号化方式としては、例えば、ランレングス符号化方式等のような、受像装置２００で元の情報を損なわずに復号可能な可逆変換方式を適用可能である。
【００４８】
多重化部１１０は、音声符号化部１０７、映像符号化部１０８、及びデータ符号化部１０９でそれぞれで符号化処理された音声データ、映像データ、及び合成データ（各種データ）の放送素材を、一本の信号の流れ（ストリーム）として多重化する。
【００４９】
誤り訂正情報付加部１１１は、多重化部１１０で得られた多重化データに対して、誤り訂正情報を付加する。
誤り訂正情報とは、放送装置１００から放送された放送波が衛星３３０を介して受像装置２００で受信され、電波妨害等により当該受信波に対して欠損やデータ化けが生じた場合、受像装置２００側で当該受信データの誤りを検出し、また、誤った個所のデータ修復を助けるための情報である。
【００５０】
変調部１１２は、誤り訂正情報付加部１１１による情報付加後のデータ（ディジタルの放送データ）を変調処理し、これを放送波として、送信用アンテナ１１３を介して衛星３３０へと送信する。
変調郡１１２における変調方式としては、例えば、限られた周波数帯域幅の中で多くのデータを送信する必要があるため、多値変調方式としての“１６ＱＡＭ（Ｑｕａｄｒａｔｕｒｅ  Ａｍｐｌｉｔｕｄｅ  Ｍｏｄｕｍｔｉｏｎ）”や、複数の搬送波を用いたマルチキャリア方式としての“ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）”等のディジタル変調方式を適用可能である。
【００５１】
＜受像装置２００の構成及び一連の動作＞
受像装置２００は、受信アンテナ２０１、復調部２０２、誤り訂正部２０３、多重分離部２０４、音声復号化部２０５、映像復号化部２０６、映像信号処理部２０７、データ復号化部２０８、ＣＰＵ２０９、Ｉ／Ｏコントローラ２１０、モデム２１１、ハードディスク２１２、ＡＶ機器２１３、赤外線受光部２１４、リモコン（リモートコントローラ）２１５、カードスロット２１６、ＩＣカード２１７、スピーカ２１８、及び表示装置２１９を備えている。
【００５２】
受像装置２００において、先ず、衛星３３０を介して送信されてくる、放送装置１００からの放送波は、受信用アンテナ２０１で受信される。
復調部２０２は、受信用アンテナ２０１による受信波を復調することで、変調処理前のデータ（ディジタルの放送データ）を復元する。
【００５３】
誤り訂正部２０３は、復調部２０２で得られた放送データから得られる、放送装置１００の誤り訂正情報付加部１１１で付加された誤り訂正情報を用いて、当該放送データにおいて、データの欠損やデータ化け等が発生していないかをチェックし、この結果、何らかのデータ異常が発生していた場合、正しいデータの修復を行う。
【００５４】
多重分離部２０４は、誤り訂正部２０３によるチェック後の放送データを、映像データ、音声データ、及び番組情報及び番組構成情報を含むデータの放送素材毎に分離する。
【００５５】
音声復号化部２０５は、多重分陸部２０４により得られた音声データを、符号化前の元の音声データに戻し、当該音声データを可聴音として、外部接続されたスピーカ２１８から出力する。
【００５６】
映像復号化部２０６は、多重分陸部２０４により得られた映像データを、符号化前の元の映像データに戻し、これを映像信号処理部２０７に供給する。
映像信号処理部２０７は、映像復号化部２０６からの映像データに対して、ＣＰＵ２０９から供給される電子番組表やその他の画像データとの合成処理を施し、当該処理のデータを、外部接続された表示装置２１９（或いは受像装置２００に設けられた不図示の表示部等）に対して出力する。
【００５７】
データ復号化部２０８は、多重分陸部２０４により得られた、番組情報及び番組構成情報を含むデータを、符号化前の元のデータに戻し、これをＣＰＵ２０９（制御部）に供給する。
【００５８】
ＣＰＵ２０９は、受像装置２００全体の動作制御を司るものであり、例えば、次のような処理を実行する。
・データ復号化部２０８からのデータに含まれる番組情報や番組構成情報等から、電子番組表（ＥＰＧ）等の画像データを生成する。
・Ｉ／Ｏコントローラ２１０を介して接続される各種入出力装置（ここではＡＶ機器２１３）からの情報に基づいて、画像データを生成する。
・Ｉ／Ｏコントローラ２１０を介して接続されたＡＶ機器２１３の動作制御を行う。
【００５９】
ＣＰＵ２０９で生成された画像データは、映像信号処理部２０７に供給され、上述したように、放送装置１００から送信された放送波に含まれる映像データと合成処理された後、外部接続された表示装置２１９（或いは受像装置２００に設けられた不図示の表示部等）で表示出力（再生）される。
【００６０】
Ｉ／Ｏコントローラ２１０は、ＣＰＵ２０９からの制御に従って、モデム２１１、ハードディスク（ＨＤＤ）２１３、赤外線受光部２１４、及びカードスロット２１６によるデータ入出力や、ＩＥＥＥ１３９４高速シリアルディジタルインターフェースを介しての、ディジタルビデオ機器やオーディオ機器等の各種ＡＶ（Ａｕｄｉｏ−Ｖｉｓｕａ１）機器２１３とのデータ入出力を制御する。
【００６１】
赤外線受光部２１４は、ユーザから操作されるリモコン２１５からの赤外線を受光し、その赤外線に含まれるデータを抽出する。
カードスロット２１６は、ユーザの認証情報等が記録されたＩＣカード２１７から当該記録データを読み取る。
【００６２】
＜受像装置２００の特徴とする構成及び動作＞
本実施の形態の最も特徴とする構成は受像装置２００にある。
すなわち、受像装置２００は、特に、放送装置１０から送信される放送データの各種データに含まれる番組情報及び番組構成情報に基づいてＥＰＧ（電子番組表）画面を生成する際、項目（小番組）毎の番組情報（タイトル等）を認識可能なようにＥＰＧ画面を生成すると共に、項目単位で視聴予約が可能なように構成されている。
【００６３】
具体的には、まず、上述した通り、放送装置１００から送信される放送データに含まれる各種データは、多重分離部２０４で分離された後、データ復号化部２０８により、符号化される前のデータに変換されてＣＰＵ２０９に供給される。
ＣＰＵ２０９は、以下に説明するようにして、上記の各種データから電子番組表（ＥＰＧ）等を生成する。
【００６４】
先ず、ＣＰＵ２０９は、各種データの中から、電子番組表（ＥＰＧ）を生成するために必要な情報として、番組情報及び番組構成情報を抽出し、当該番組情報に基づいて、例えば、図２に示すような、Ｘ方向のチャンネル軸とＹ方向の時間軸で構成される電子番組表４１０を生成する。
【００６５】
次に、ＣＰＵ２０９は、上記の抽出した番組構成情報が、上記図２の電子番組表４１０の中の番組に関連したものであるか否かを判別する。
【００６６】
図３は、上記の番組構成情報４２０の一例を示したものである。
番組構成情報４２０は、上記図３に示すように、番組を示す番号（ＩＤ）、番組を構成する項目、及びそれぞれの項目についての開始予定時刻の情報を含んでいる。
【００６７】
そして、ＣＰＵ２０９は、上記の判別の結果、抽出番組構成情報が電子番組表４１０の中の番組に関連した情報である場合、電子番組表４１０において、電子番組表４１０の中の該当する番組の欄に特定の記号（番組構成情報が存在する番組であることを示す記号）を付加する。
【００６８】
上記図２では、特定の記号の一例として、“星印（☆）”を用いており、この記号が、チャンネルＣＨ１０１の番組「音楽１１」及び「音楽１３」、及びチャンネルＣＨ１０４の番組「番組４１」に対して付加されている。すなわち、チャンネルＣＨ１０１の番組「音楽１１」及び「音楽１３」、及びチャンネルＣＨ１０４の番組「番組４１」に対して、番組構成情報が存在している。
【００６９】
上述のようにして、ＣＰＵ２０９で生成された電子番組表４１０は、ＣＰＵ２０９から映像信号処理部２０７に対して転送される。
映像信号処理部２０７は、映像復号化部２０６からの映像データと、ＣＰＵ２０９からの電子番組表４１０とを合成し、当該合成データを、表示装置２１９（或いは受像装置２００に設けられた不図示の表示部等）で画面表示する。
【００７０】
以下に、表示装置２１９での表示画面の一例を挙げるが、当該表示画面の切り替えや、画面上での情報変化（記号の表示や変化等）については、ＣＰＵ２０９が映像信号処理部２０７を制御することで実施される。
【００７１】
図４は、表示装置２１９で表示される画面（ＥＰＧ画面）４３０の一例を示したものである。
ＥＰＧ画面４３０は、上記図２に示した電子番組表４１０において、番組「番組４１」が、上記図３に示した番組構成情報４２０を有するものとして生成された画面である。
【００７２】
上記図４に示すように、ＥＰＧ画面４３０では、番組構成情報４２０を有するチャンネルＣＨ１０４の番組「番組４１」の表示部分４３１に、当該番組構成情報が表示される。
表示部分４３１には、番組「番組４１」を構成する項目（「オープニング」や「ニュース１」等）と共に、視聴予約番組としての選択／非選択を示す記号等が表示される。ここでの選択／非選択を示す記号としては、その一例として、選択を“黒塗り四角：■”とし、非選択を“白四角：□”として用いている。
また、番組「番組４１」を構成する各項目は、その開始予定時間が認識できるように、時間軸上の該当する位置に表示される。
【００７３】
尚、ＥＰＧ画面上において、番組構成情報の表示或いは非表示を選択的に行えるようにするための方法としては、例えば、ユーザから、マウスカーソルにより“星印：☆”が選択された後に完了ボタンが押下されたタイミングで、番組構成情報を表示或いは非表示の状態とする方法や、リモコン２１５上に番組構成情報の表示／非表示のための専用ボタンを設け、当該専用ボタンが押下されたタイミングで、番組構成情報を表示或いは非表示の状態とする方法等の様々な方法を適用可能である。
【００７４】
そこで、ユーザ（視聴者）が、上記図４のＥＰＧ画面４３０を参照し、例えば、「番組４１」の「スポーツ」の項目（コーナー）のみを視聴したいという場合、ユーザは、番組構成情報の表示部分４３１において、「スポーツ」の項目に対応する選択／非選択を示す記号を“選択”とする（上記図４では、“黒塗り四角：■”とする）。
このときのユーザ操作方法としては、例えば、画面上のカーソル操作や、リモコン２１５に設けられた矢印キー操作等により、所望する項目を選択し、その後、完了ボタンで決定する等の様々な方法を適用可能である。
【００７５】
ユーザからの視聴予約操作が完了すると、ＥＰＧ画面４３０において、選択項目の選択／非選択を示す記号が“□”から“■”に変化し、番組構成情報が存在することを示す記号についても“白星：☆”から“黒星：★”に変化する。
【００７６】
視聴予約されたことを示す記号（ここでは“黒星：★”）は、ユーザから番組構成情報の非表示が選択された場合にも、ＥＰＧ画面４３０上に残ることになる。
図５は、この状態でＥＰＧ画面４４０を示したものである。これにより、ユーザ（視聴者）は、番組「番組４１」に対して項目単位での視聴予約がなされていることを容易に把握することができる。
【００７７】
上述のような項目単位での視聴予約は、１つの項目のみならず、複数の項目に対して同時に視聴予約可能である。
また、番組全体に対して視聴予約することも勿論可能であり、この場合、例えば、図６に示すように、視聴予約がなされた番組欄全体を、特定の色で表現する（斜線部分参照）。これにより、ユーザは、１つの番組全体が視聴予約されたことを容易に認識できる。
【００７８】
また、ユーザが視聴予約する際に、既に同じ開始時間で別の番組の視聴予約がなされている場合、例えば、図７に示すように、ＥＰＧ画面４６０上に、警告メッセージ４６１を表示する。これにより、ユーザが二重に番組視聴予約をすることを確実に防止することができる。
【００７９】
上記図４及び図５を用いて説明した例では、ユーザ（視聴者）は、チャンネルＣＨ１０４の「番組４１」の「スポーツ」のコーナーを視聴予約したことにより、「番組４１」の「スポーツ」のコーナーが始まるまで、他の番組（例えば、チャンネルＣＨ１０５の「ドラマ５１」や、チャンネルＣＨ１０６の「映画６１」等）を視聴可能である。
【００８０】
図８は、上述のようにしてユーザから視聴予約が行われた後の、ＣＰＵ２０９で実行される処理をフローチャートにより示したものである。
尚、以下に説明する処理は、ＥＰＧ画面上の番組の中の項目に対して視聴予約された場合に限られるものではなく、番組全体を視聴予約された場合にも同様の処理の流れとなる。したがって、ここでの「番組」という表現には、１つの番組を指す以外に、ある番組の中の項目を指すものとする。
【００８１】
ステップＳ５０１：
ユーザは、上記図４や図５に示したようなＥＰＧ画面上から、所望する番組の視聴予約を実行する。
ＣＰＵ２０９は、ユーザからの視聴予約を認識し、ユーザが視聴予約しようとしている番組の開始時間が、現在の時刻よりも後であるか否かを判別し、この判別の結果、視聴予約の開始時間が現在の時刻よりも後である場合のみ次のステップＳ５０２からの処理を実行し、視聴予約の開始時間が現在の時刻よりも後でない場合（予約しようとしている番組の開始時間よりも現在の時刻が過ぎている場合）にはそのまま本処理終了とする。
【００８２】
ステップＳ５０２：
ステップＳ５０１の判別の結果、ユーザが視聴予約しようとしている番組の開始時間が、現在の時刻よりも後である場合、ＣＰＵ２０９は、既に予約登録されている番組の中で、現在予約しようとしている番組と開始時間が同じ番組が存在するか否かを判別する。
この判別の結果、存在する場合にはステップＳ５０３へ進み、存在しない場合にはステップＳ５０４へ進む。
【００８３】
ステップＳ５０３：
ステップＳ５０２の判別の結果、既に予約登録されている番組の中で、現在予約しようとしている番組と開始時間が同じ番組が存在する場合、ＣＰＵ２０９は、上記図７に示したように、既に同じ時間に開始される番組が視聴予約登録されている旨の警告メッセージを、ＥＰＧ画面上に表示し、その後、そのまま本処理終了する。
【００８４】
ステップＳ５０４：
ステップＳ５０２の判別の結果、既に予約登録されている番組の中で、現在予約しようとしている番組と開始時間が同じ番組が存在しない場合、ＣＰＵ２０９は、現在予約しようとしている番組を登録し、当該番組に関する情報（開始時間やチャンネル番号等の情報）を、ＣＰＵ２０９内部のメモリに一時的に記憶すると共に、ＥＰＧ画面上の予約登録番組の表示部分に対して、予約登録されたことを示す表示内容の変更を行うための制御処理を実行する。
具体的には、上記図４〜図６に示したように、ＣＰＵ２０９は、番組全体が視聴予約された場合には当該番組欄全体の色を変えるための制御処理を実行し（上記図６参照）、番組を構成する任意の項目が視聴予約された場合には当該項目の選択／非選択を示す記号を“□”から“■”に変化させると共に、番組構成情報が存在することを示す記号についても“☆”から“★”に変化させるための制御処理を実行する（上記図４参照）。
【００８５】
ステップＳ５０５、ステップＳ５０６：
ＣＰＵ２０９は、予約登録番組の開始時間を監視し、当該開始時間が間近になると、次のステップＳ５０７へ進む。
【００８６】
ステップＳ５０７：
ＣＰＵ２０９は、現在表示装置２１９で再生している放送のチャンネル番号が、予約登録番組のチャンネル番号と一致しているか否かを判別し、この判別の結果、一致している場合には本処理終了とし、一致していない場合に次のステップＳ５０８へ進む。
【００８７】
ステップＳ５０８、ステップＳ５０９：
ステップＳ５０７の判別の結果、現在再生中の放送のチャンネル番号が予約登録番組のチャンネル番号と一致していない場合、ＣＰＵ２０９は、例えば、図９に示すように、当該再生画面６１０上に対して、予約登録番組の開始時間が近いことを知らせるメッセージ６１１を表示するための制御処理を実行すると共に（ステップＳ５０８）、当該メッセージ表示の開始時間の計測を開始する（ステップＳ５０９）。
【００８８】
ステップＳ５１０：
ＣＰＵ２０９は、再生放送のチャンネル番号がユーザ（視聴者）から切り替えられたか否かを判別し、この判別の結果、チャンネル切り替えなしの場合にはステップＳ５１１へ進み、チャンネル切り替えありの場合にはステップＳ５１２へ進む。
【００８９】
ステップＳ５１１：
ステップＳ５１０の判別の結果、再生放送のチャンネル番号がユーザ（視聴者）から切り替えられていない場合、ＣＰＵ２０９は、ステップＳ５０８でのメッセージ表示開始時間から所定時間が経過したか否かを判別し、この判別の結果、所定時間経過していない場合には再びステップＳ５１０からの処理を繰り返し実行し、所定時間経過した場合には次のステップＳ５１２へ進む。
【００９０】
ステップＳ５１２、ステップＳ５１３：
ＣＰＵ２０９は、ＣＰＵ２０９内部のメモリに一時的に記憶した予約登録番組に関する情報を抹消し（ステップＳ５１２）、その後、上記図９に示したような、予約登録番組の開始時間が近いことを知らせるメッセージ６１１を消去するための制御処理を実行し（ステップＳ５１３）、本処理終了する。
【００９１】
以上説明したように、本実施の形態によれば、１つの放送番組が複数の項目で構成されているような場合、１つの番組を構成するそれぞれの項目毎に視聴予約を行うことが可能となる。
【００９２】
[第２の実施の形態]
第１の実施の形態では、放送装置１００が、電子番組表（ＥＰＧ）を生成するための番組情報及び番組構成情報を映像データ及び音声データと共に送信し、受像装置２００が、放送装置１００からの番組情報に基づきＥＰＧを生成し、更に番組を構成する項目に関する情報（番組構成情報）が放送装置１００から提供されている場合には当該番組構成情報をもＥＰＧへ反映させ、ＥＰＧ上から番組単位或いは番組を構成する項目単位で視聴予約可能なように構成した。
しかしながら、ＥＰＧ画面上で、ある番組を構成している項目数が非常に多い場合、これらの全ての項目を当該番組欄中に収めきれないことが考えられる。
【００９３】
そこで、本実施の形態では、ＥＰＧ画面上に番組を構成する項目を表示するにあたり、番組を構成する項目数が多いことにより当該番組欄の中に収まらない場合、当該番組欄の中に当該番組を構成する項目の表示が収まるように、ＥＰＧ画面上の時間軸の表示単位を自動的に変更する。
以下、本実施の形態における受像装置２００の構成及び動作について具体的に説明する。
【００９４】
尚、ここでは、第１の実施の形態と異なる構成及び動作についてのみ、具体的に説明する。
【００９５】
まず、ＣＰＵ２０９の制御により、放送装置１００から送信される番組情報及び番組構成情報に基づき生成される電子番組表（ＥＰＧ）は、上記図２に示したように、Ｘ方向のチャンネル軸とＹ方向の時間軸で構成されている。
本実施の形態では、Ｙ方向の時間軸に関して、ユーザ（視聴者）からの指示に基づき、１時間表示や、２時間表示、６時間表示、或いは１日表示等ように、予め決定された単位で自由に設定可能とする。
【００９６】
例えば、ＥＰＧ画面において、視聴者からの指示により、Ｙ方向の時間軸が６時間単位で表示されている状態であるものとする。そこで、ユーザが、番組構成情報の表示指示を行う。これにより、番組を構成する項目がＥＰＧ画面上の番組欄に表示されることになるが、６時間単位での番組欄中に、番組を構成する項目を全て表示できない場合、Ｙ方向の時間軸を、全ての項目を表示できる単位、例えば、１時間単位での表示では全ての項目を表示できる場合には１時間単位に、自動的に切り替える。
【００９７】
図１０は、上述のような機能を実施するためのＣＰＵ２０９の処理をフローチャートにより示したものである。
尚、以下に説明する処理においても、ＥＰＧ画面上の番組の中の項目に対して視聴予約された場合に限られるものではなく、番組全体を視聴予約された場合にも同様の処理の流れとなる。したがって、ここでの「番組」という表現には、１つの番組を指す以外に、ある番組の中の項目を指すものとする。
【００９８】
ステップＳ７０１：
例えば、ユーザ（視聴者）は、カーソル操作により、番組構成情報を有する番組であることを示す記号（“星印：☆”）を選択して完了ボタンを押下することで、番組構成情報を表示指示する、或いはリモコン２１５上に設けられた番組構成情報の表示／非表示を選択するのための専用ボタンを操作することで、番組構成情報を表示指示する。
これによりＣＰＵ２０９は、ＣＰＵ２０９内部のメモリに一時的に記憶した番組構成情報（放送装置１００側から送信された放送データに含まれる番組構成情報）の中から、該当する番組の番組構成情報を検索する。
【００９９】
ステップＳ７０２：
ＣＰＵ２０９は、ステップＳ７０１で取得した番組構成情報により示される項目の数を取得する。
ステップＳ７０３：
ＣＰＵ２０９は、現在表示中のＥＰＧ画面中で、番組構成情報の表示指示された番組欄において、当該番組を構成する項目を表示可能な行数を求める。
【０１００】
ステップＳ７０４：
ＣＰＵ２０９は、ステップＳ７０２で取得した項目数、及びステップＳ７０３で取得した表示可能行数により、該当する番組の構成項目を全て表示可能であるか否かを判別する。
この判別の結果、表示可能である場合にはステップＳ７０６へ進み、表示可能でない場合にはステップＳ７０５へ進む。
【０１０１】
ステップＳ７０５：
ステップＳ７０４の判別の結果、該当する番組の構成項目を全て表示可能でない場合、ＣＰＵ２０９は、ＥＰＧ画面（電子番組表）の時間軸の表示幅を一段階広げ、再びステップＳ７０４へ戻り、該当する番組の構成項目を全て表示可能であるか否かの判別を行う。
このようなステップＳ７０５及びステップＳ７０４を繰り返し実行することで、該当する番組を構成する項目全てを表示可能となるまで、ＥＰＧ画面（電子番組表）の時間軸の表示幅の調整を行う。
【０１０２】
ステップＳ７０６：
ステップＳ７０４の判別の結果、該当する番組の構成項目が全て表示可能となると、ＣＰＵ２０９は、当該項目を含んだＥＰＧ画面（電子番組表）の再表示のための制御処理を実行し、本処理終了とする。
【０１０３】
図１１は、上記図１０の処理実行によるＥＰＧ画面の状態の一例を示したものである。
先ず、ＥＰＧ画面８１０では、時間軸が６時間単位で表示されている。この状態でユーザから、チャンネルＣＨ１０４の「番組４１」に関する番組構成情報の表示指示がなされた場合（上記図１１の“８１１”参照）、６時間単位の表示では、「番組４１」を構成する項目全てを表示できない（上記図１０のステップＳ７０４参照）。
そこで、ＣＰＵ２０９は、時間軸の表示幅を２時間表示に広げる（上記図１０のステップＳ７０５参照）。これにより、ＥＰＧ画面８１０はＥＰＧ画面８１０´の状態となり、「番組４１」の欄８１１´には、当該「番組４１」を構成する項目全てが表示される。
【０１０４】
以上説明したように、本実施の形態によれば、番組を構成する項目を表示するにあたり、当該番組を構成する項目数が多く、現在のＥＰＧ画面上では、当該番組の表示欄中に収まらない場合、当該番組を構成する全ての項目が表示欄に収まるように時間軸の表示単位が自動的に変更されるため、ユーザは、所望する番組を構成する項目数が多い場合であっても、当該項目全てを容易に把握することができる。
【０１０５】
[第３の実施の形態]
第１の実施形態では、放送装置１００が、電子番組表（ＥＰＧ）を生成するための番組情報及び番組構成情報を映像データ及び音声データと共に送信し、受像装置２００が、放送装置１００からの番組情報に基づきＥＰＧを生成し、更に番組を構成する項目に関する情報（番組構成情報）が放送装置１００から提供されている場合には当該番組構成情報をもＥＰＧへ反映させ、ＥＰＧ上から番組単位或いは番組を構成する項目単位で視聴予約可能なように構成し、さらに、視聴予約がなされた番組或いは番組を構成する項目の開始時間が近づき、且つ現在表示画面上で再生している番組のチャンネルが視聴予約された番組のチャンネル番号と一致していない場合、視聴予約された番組の開始時間が近いことを知らせるメッセージを表示画面上に表示するように構成した。
【０１０６】
しかしながら、ユーザが、所望する番組或いは番組を構成する項目の視聴予約を行った後で、当該視聴予約した番組或いは番組を構成する項目が開始する前に、受像装置２００の電源をＯＦＦした場合、視聴予約登録された番組或いは番組を構成する項目の開始時間が近づいたときに、ユーザ（視聴者）に対して、視聴予約登録された番組或いは番組を構成する項目の開始時間が近づいたことを知らせるメッセージを提示することができない。
【０１０７】
そこで、本実施の形態では、受像装置２００に対して、例えば、図１２に示すように、受像装置２００全体に対して電源を供給する第１の動作モードと、視聴予約登録された番組或いは番組を構成する項目の開始時間を監視する手段（ＣＰＵ２０９）に対してのみ電源を供給する第２の動作モードとを有する電源供給部２２１を設ける。
これらの第１及び第２の動作モードは、ＣＰＵ２０９からの指示により切り替えが可能なように構成されている。
【０１０８】
したがって、例えば、ユーザが、所望する番組或いは番組を構成する項目の視聴予約登録を行った後で、当該番組或いは番組を構成する項目が開始する前に受像装置２００の電源をＯＦＦした場合であっても、受像装置２００において、ＣＰＵ２０９が、電源供給部２２１の動作モードを第２の動作モードとすることにで、視聴予約登録された番組或いは番組を構成する項目の開始時間を監視する手段に対しては電源が供給されることになるため、当該番組或いは番組を構成する項目の開始時間が近づいたことを検出でき、この検出タイミングで、電源供給部２２１の動作モードを第１の動作モードとすることにで、受像装置２００全体へ電源投入された後、ユーザ（視聴者）に対して、視聴予約登録された番組或いは番組を構成する項目の開始時間が近づいたことを知らせるメッセージを提示することができる。
【０１０９】
以下、本実施の形態における受像装置２００の構成及び動作について具体的に説明する。
尚、ここでは、第１の実施の形態と異なる構成及び動作についてのみ、具体的に説明する。
【０１１０】
まず、受像装置２００は、上記図１に示した構成に加えて、電源スイッチ２２０及び電源供給部２２１を備えた構成としている。
【０１１１】
電源スイッチ２２０は、ユーザ（視聴者）から操作され、受像装置２０への電源供給状態を制御するためのスイッチである。この電源スイッチ２２０の操作状態は、ＣＰＵ２０９から監視される。
【０１１２】
電源供給部２２１は、受像装置２００への電源を供給するための電源供給部であり、上述したような第１及び第２の動作モードを実施するために、受像装置２００全体へ電源供給する電源（メイン電源）と、視聴予約登録された番組或いは番組を構成する項目の開始時間を監視するためにＣＰＵ２０９に対してのみ電源供給するための電源（サブ電源）との２種類の電源供給可能なものである。
これらのメイン及びサブの電源の出力状態は、ＣＰＵ２０９から供給される信号線（モード選択信号）の電圧レベルによりにより決定される。
【０１１３】
図１３は、上述のような機能を実施するためのＣＰＵ２０９の処理をフローチャートにより示したものである。
尚、以下に説明する処理においても、ＥＰＧ画面上の番組の中の項目に対して視聴予約された場合に限られるものではなく、番組全体を視聴予約された場合にも同様の処理の流れとなる。したがって、ここでの「番組」という表現には、１つの番組を指す以外に、ある番組の中の項目を指すものとする。
【０１１４】
ステップＳ９０１：
ユーザは、所望する番組の視聴予約を行った後で、当該番組が開始する前に、受像装置２００の電源スイッチ２２０をＯＦＦにする。
これを認識したＣＰＵ２０９は、電源供給部２２１に対して、サブ電源を出力するように制御指示する（第２の動作モードの指示）。
【０１１５】
ステップＳ９０２、ステップＳ９０３：
ステップＳ９０１の処理により、受像装置２００全体への電源供給は切断され、表示装置２１９は何も表示されていない状態となるが、電源供給部２２１のサブ電源により、ＣＰＵ２０９において、視聴予約登録された番組の開始時間を監視する動作は継続して行われることになる。
【０１１６】
ステップＳ９０４：
ＣＰＵ２０９は、視聴予約登録された番組の開始時間が近づいたことを認識すると、電源供給部２２１に対して、メイン電源を出力するように制御指示する（第１の動作モードの指示）。
【０１１７】
ステップＳ９０５、ステップＳ９０６：
ステップＳ９０４の処理により、受像装置２００全体に電源供給され、表示装置２１９での画面表示が可能となる。
ＣＰＵ２０９は、視聴予約登録された番組の開始時間が近いことを知らせるメッセージを画面表示するための制御処理を実行すると共に（ステップＳ９０５）、当該メッセージ表示の開始時間の計測を開始する（ステップＳ９０６）。
【０１１８】
ステップＳ９０７：
ＣＰＵ２０９は、ユーザ（視聴者）から、リモコン２１５の操作等により、視聴予約登録された番組のチャンネル切り替えられたか否かを判別し、この判別の結果、チャンネル切り替えなしの場合にはステップＳ９１０へ進み、チャンネル切り替えありの場合にはステップＳ９０８へ進む。
【０１１９】
ステップＳ９０８、ステップＳ９０９：
ステップＳ９０７の判別の結果、チャンネル切り替えありの場合、ＣＰＵ２０９は、ＣＰＵ２０９内部のメモリに一時的に記憶した予約登録番組に関する情報を抹消し（ステップＳ９０８）、その後、予約登録番組の開始時間が近いことを知らせるメッセージを消去するための制御処理を実行し（ステップＳ９０９）、本処理終了する。
【０１２０】
ステップＳ９１０：
ステップＳ９０７の判別の結果、チャンネル切り替えなしの場合、ＣＰＵ２０９は、ステップＳ９０５でのメッセージ表示開始時間から所定時間が経過したか否かを判別し、この判別の結果、所定時間経過していない場合には再びステップＳ９０７からの処理を繰り返し実行し、所定時間経過した場合には次のステップＳ９１１へ進む。
【０１２１】
ステップＳ９１１、ステップＳ９１２：
ステップＳ９１０の判別の結果、メッセージ表示開始時間から所定時間が経過した場合、ＣＰＵ２０９は、ＣＰＵ２０９内部のメモリに一時的に記憶した予約登録番組に関する情報を抹消し（ステップＳ９１１）、その後、電源供給部２２１に対して、サブ電源を出力するように制御指示し（ステップＳ９１２）、本処理終了する。これにより、受像装置２００全体への電源が切断される。
【０１２２】
以上説明したように、本実施の形態によれば、ユーザが、所望する番組の視聴予約登録を行った後で、当該番組が開始する前に、受像装置２００の電源をＯＦＦした場合であっても、視聴予約登録された番組の開始時間を監視する手段が動作していることにより、視聴予約登録された番組の開始時間が近づいたときに、受像装置２００の電源を自動的に投入し、ユーザに対して、視聴予約登録された番組の開始時間が近づいたことを知らせるメッセージを提示できる。これにより、ユーザは、視聴予約した番組を見逃すことなく確実に視聴できる。
【０１２３】
[第４の実施の形態]
第１実施の形態では、放送装置１００から受像装置２００に対して、電子番組表（ＥＰＧ）を生成するための番組情報及び番組を構成する項目に関する番組構成情報が、映像データ及び音声データと共に送信され、受像装置２００が、放送装置１００から受信した番組情報に基づき電子気番組表を生成し、更に番組を構成する項目に関する情報（番組構成情報）が放送装置１００から提供されている場合には当該情報をもＥＰＧへ反映させ、ＥＰＧ上からＥＰＧ上から番組単位或いは番組を構成する項目単位で視聴予約可能なように構成し、さらに、視聴予約がなされた番組或いは番組を構成する項目の開始時間が近づき、且つ現在表示画面上で再生している番組のチャンネルが視聴約された番組のチャンネル番号と一致していない場合、視聴予約された番組の開始時間が近いことを知らせるメッセージを表示画面上に表示するように構成した。
【０１２４】
しかしながら、予約登録された番組の開始時間が近いことを知らせるメッセージは、一定時間後に消去されてしまう場合、ユーザが、そのメッセージを見逃してしまい、予約登録した番組を見損なってしまう場合が考えられる。
【０１２５】
そこで、本実施の形態では、視聴予約が行われた番組、或いは番組を構成する項目の開始時間が近づき、且つ現在表示画面上で再生している放送のチャンネル番号が予約登録された番組のチャンネル番号と一致していない場合、予約登録された番組の開始時間が近いことを知らせるメッセージを表示画面上に表示すると共に、強制的に予約登録された番組のチャンネル番号に切り替えるようにする。これにより、ユーザが、予約登録された番組の開始時間が近いことを知らせるメッセージを見逃してしまっても、予約登録した番組を確実に視聴できる。
【０１２６】
以下、本実施の形態における受像装置２００の構成及び動作について具体的に説明する。
尚、ここでは、第１の実施の形態と異なる構成及び動作についてのみ、具体的に説明する。
【０１２７】
図１４は、本実施の形態の受像装置２００において、ユーザから視聴予約が行われた後の、ＣＰＵ２０９で実行される処理をフローチャートにより示したものである。
【０１２８】
尚、第１の実施の形態と同様に、以下に説明する処理は、ＥＰＧ画面上の番組の中の項目に対して視聴予約された場合に限られるものではなく、番組全体を視聴予約された場合にも同様の処理の流れとなる。したがって、ここでの「番組」という表現には、１つの番組を指す以外に、ある番組の中の項目を指すものとする。
また、ユーザ（視聴者）から、電子番組表（ＥＰＧ画面）上から番組の視聴予約が行なわれ、視聴予約された番組の開始時間が近づき、当該番組の開始時間が近いことを知らせるメッセージを表示画面上に表示するまでの処理（ステップＳ１００１〜ステップＳ１００９）の流れは、第１の実施の形態（上記図８参照）における処理（ステップＳ５０１〜ステップＳ５０９）と同様である。
【０１２９】
ステップＳ１００１：
ユーザは、ＥＰＧ画面上から、所望する番組の視聴予約を実行する。
ＣＰＵ２０９は、ユーザからの視聴予約を認識し、ユーザが視聴予約しようとしている番組の開始時間が、現在の時刻よりも後であるか否かを判別し、この判別の結果、視聴予約の開始時間が現在の時刻よりも後である場合のみ次のステップＳ１００２からの処理を実行し、視聴予約の開始時間が現在の時刻よりも後でない場合（予約しようとしている番組の開始時間よりも現在の時刻が過ぎている場合）にはそのまま本処理終了とする。
【０１３０】
ステップＳ１００２：
ステップＳ１００１の判別の結果、ユーザが視聴予約しようとしている番組の開始時間が、現在の時刻よりも後である場合、ＣＰＵ２０９は、既に予約登録されている番組の中で、現在予約しようとしている番組と開始時間が同じ番組が存在するか否かを判別する。
この判別の結果、存在する場合にはステップＳ１００３へ進み、存在しない場合にはステップＳ１００４へ進む。
【０１３１】
ステップＳ１００３：
ステップＳ１００２の判別の結果、既に予約登録されている番組の中で、現在予約しようとしている番組と開始時間が同じ番組が存在する場合、ＣＰＵ２０９は、既に同じ時間に開始される番組が視聴予約登録されている旨の警告メッセージを、ＥＰＧ画面上に表示し、その後、そのまま本処理終了する。
【０１３２】
ステップＳ１００４：
ステップＳ１００２の判別の結果、既に予約登録されている番組の中で、現在予約しようとしている番組と開始時間が同じ番組が存在しない場合、ＣＰＵ２０９は、現在予約しようとしている番組を登録し、当該番組に関する情報（開始時間やチャンネル番号等の情報）を、ＣＰＵ２０９内部のメモリに一時的に記憶すると共に、ＥＰＧ画面上の予約登録番組の表示部分に対して、予約登録されたことを示す表示内容の変更を行うための制御処理を実行する。
【０１３３】
ステップＳ１００５、ステップＳ１００６：
ＣＰＵ２０９は、予約登録番組の開始時間を監視し、当該開始時間が間近になると、次のステップＳ１００７へ進む。
【０１３４】
ステップＳ１００７：
ＣＰＵ２０９は、現在表示装置２１９で再生している放送のチャンネル番号が、予約登録番組のチャンネル番号と一致しているか否かを判別し、この判別の結果、一致している場合には本処理終了とし、一致していない場合に次のステップＳ１００８へ進む。
【０１３５】
ステップＳ１００８、ステップＳ１００９：
ステップＳ１００７の判別の結果、現在再生中の放送のチャンネル番号が予約登録番組のチャンネル番号と一致していない場合、ＣＰＵ２０９は、当該再生画面上に対して、予約登録番組の開始時間が近いことを知らせるメッセージを表示するための制御処理を実行すると共に（ステップＳ１００８）、当該メッセージ表示の開始時間の計測を開始する（ステップＳ１００９）。
次のステップＳ１０１０からの処理が、第１の実施の形態とは異なる。
【０１３６】
ステップＳ１０１０：
ＣＰＵ２０９は、復調部２０２に対して、放送装置１００から送信される放送波のうち、予約登録された番組の行われるチャンネルが属する周波数帯を復調するように指示しする。
ステップＳ１０１１：
ＣＰＵ２０９は、予約登録された番組の開始時間が近いことを知らせるメッセージを表示画面上に表示してから所定の時間が経過したか否かを判別し、この判別の結果、所定時間経過したと判断した場合に、次のステップＳ１０１２へ進む。
【０１３７】
ステップＳ１０１２、ステップＳ１０１３：
ＣＰＵ２０９は、ＣＰＵ２０９内部のメモリに一時的に記憶した予約登録番組に関する情報を抹消し（ステップＳ１０１２）、その後、予約登録番組の開始時間が近いことを知らせるメッセージを消去するための制御処理を実行し（ステップＳ１０１３）、本処理終了する。
【０１３８】
以上説明したように、本実施の形態では、視聴予約が行われた番組、或いは番目組を構成する項目の開始時間が近づき、且つ現在表示画面上で再生している放送のチャンネル番号が予約登録された番組のチャンネル番号と一致していない場合、予約登録された番組の開始時間が近いことを知らせるメッセージを表示画面上に表示すると共に、現在視聴している放送チャンネル番号を強制的に予約登録された番組のチャンネル番号に切り替えるように構成したので、ユーザが、予約登録された番組の開始時間が近いことを知らせるメッセージを見逃してしまい、予約登録した番組を見損なってしまう、ということを確実に防ぐことができる。
【０１３９】
[第５の実施の形態]
第４の実施の形態では、強制的に予約登録された番組のチャンネル番号に切り替えるように構成することで、ユーザが、予約登録された番組の開始時間が近いことを知らせるメッセージを見逃してしまっても、予約登録した番組を視聴できるようにした。
【０１４０】
しかしながら、予約登録された番組の開始時間が近づいたことにより、ユーザが現在視聴している放送チャンネル番号が強制的に予約登録された番組のチャンネル番号に切り替えられてしまった場合、ユーザ（視聴者）側において、現在視聴している番組を継続して視聴したい、という欲求があることが考えられる。
【０１４１】
そこで、本実施の形態では、受像装置２００において、視聴予約が行われた番組、或いは番組を構成する項目の開始時間が近づき、且つ現在表示画面上で再生している番組のチャンネルが予約登録された番組のチャンネル番号と一致していない場合、予約登録された番組の開始時間が近いことを知らせるメッセージを表示画面上に表示すると共に、予約登録された番組を、現在視聴している番組の上に子画面として表示するようにする。これにより、ユーザは、予約登録した番組の視聴を行えると共に、現在視聴している番組も継続して視聴し続けることができる。
【０１４２】
以下、本実施の形態における受像装置２００の構成及び動作について具体的に説明する。
尚、ここでは、第１及び第４の実施の形態と異なる構成及び動作についてのみ、具体的に説明する。
【０１４３】
図１５は、本実施の形態の受像装置２００の構成を示したものである。
本実施の形態の受像装置２００は、上記図１５に示すように、上記図１に示した構成に対して、復調部２０２、誤り訂正部２０３、多重分離部２０４、及び映像復号化部２０６をそれぞれ、第１の復調部２０２ａ、第２の復調部２０２ｂ、第１の誤り訂正部２０３ａ、第２の誤り訂正部２０３ｂ、第１の多重分離部２０４ａ、第２の多重分離部２０４ｂ、第１の映像復号化部２０６ａ、及び第２の映像復号化部２０６ｂとし、映像信号処理部２０７に対して、映像信号合成処理部２０７ａ及び縮小処理部２０７ｂを含める構成としている。
【０１４４】
第１の復調部２０２ａ、第１の誤り訂正部２０３ａ、第１の多重分離部２０４ａ、及び第１の映像復号化部２０６ａはそれぞれ、上記図１に示した、復調部２０２、誤り訂正部２０３、多重分離部２０４、及び映像復号化部と同様に機能する。
【０１４５】
第２の復調部２０２ｂ、第２の誤り訂正部２０３ｂ、第２の多重分離部２０４ｂ、第２の映像復号化部２０６ｂ、及び縮小処理部２０７ｂは、子画面として表示する映像を生成するための構成部である。
【０１４６】
すなわち、先ず、第２の復調部２０２ｂは、受信用アンテナ２０１で受信された放送波から、メインの番組（現在再生中の番組）とは別に、ユーザ（視聴者）から予約登録された番組の放送チャンネルが属する周波数帯を復調することで、当該番組の変調処理前のデータ（ディジタルの放送データ）を復元する。
【０１４７】
第２の誤り訂正部２０３ｂは、第２の復調部２０２ｂで得られた放送データから得られる、放送装置１００の誤り訂正情報付加部１１１で付加された誤り訂正情報を用いて、当該放送データにおいて、データの欠損やデータ化け等が発生していないかをチェックし、この結果、何らかのデータ異常が発生していた場合、正しいデータの修復を行う。
【０１４８】
第２の多重分離部２０４ｂは、第２の誤り訂正部２０３ｂによるチェック後の放送データから、映像データのみを分離する。
第２の映像復号化部２０６ｂは、第２の多重分陸部２０４ｂにより得られた映像データを、符号化前の元の映像データに戻し、これを縮小処理部２０７ｂに供給する。
【０１４９】
縮小処理部２０７ｂは、第２の映像復号化部２０６からの映像データを縮小処理する。
映像信号合成処理部２０７ａは、第１の映像復号化部２０６ａで得られた映像（メインとなる第１の映像）上に、縮小処理部２０７ｂで得られた縮小映像を重ね合わせた映像（合成映像）を表示装置２１９（或いは受像装置２００が有する表示部）で再生するための処理を実行する。
【０１５０】
尚、縮小処理部２０７ｂにおいて、映像の縮小処理としては、例えば、縮小率に応じて画素を間引く単純間引き等の一般的な手法を用いた処理が実行される。また、音声データ、及び番組情報や番組構成情報を含む各種データに関しては、メインとなる、第１の多重分離部２０４ａにて分離される音声データ及び各種データが用いられる。
【０１５１】
図１６は、上記図１５に示した受像装置２００において、ユーザから視聴予約が行われた後の、ＣＰＵ２０９で実行される処理をフローチャートにより示したものである。
【０１５２】
尚、第１の実施の形態と同様に、以下に説明する処理は、ＥＰＧ画面上の番組の中の項目に対して視聴予約された場合に限られるものではなく、番組全体を視聴予約された場合にも同様の処理の流れとなる。したがって、ここでの「番組」という表現には、１つの番組を指す以外に、ある番組の中の項目を指すものとする。
また、ユーザ（視聴者）から、電子番組表（ＥＰＧ画面）上から番組の視聴予約が行なわれ、視聴予約された番組の開始時間が近づき、当該番組の開始時間が近いことを知らせるメッセージを表示画面上に表示するまでの処理（ステップＳ１００１〜ステップＳ１００９）の流れは、第１の実施の形態（上記図８参照）における処理（ステップＳ５０１〜ステップＳ５０９）と同様である。
【０１５３】
ステップＳ１００１：
ユーザは、ＥＰＧ画面上から、所望する番組の視聴予約を実行する。
ＣＰＵ２０９は、ユーザからの視聴予約を認識し、ユーザが視聴予約しようとしている番組の開始時間が、現在の時刻よりも後であるか否かを判別し、この判別の結果、視聴予約の開始時間が現在の時刻よりも後である場合のみ次のステップＳ１００２からの処理を実行し、視聴予約の開始時間が現在の時刻よりも後でない場合（予約しようとしている番組の開始時間よりも現在の時刻が過ぎている場合）にはそのまま本処理終了とする。
【０１５４】
ステップＳ１００２：
ステップＳ１００１の判別の結果、ユーザが視聴予約しようとしている番組の開始時間が、現在の時刻よりも後である場合、ＣＰＵ２０９は、既に予約登録されている番組の中で、現在予約しようとしている番組と開始時間が同じ番組が存在するか否かを判別する。
この判別の結果、存在する場合にはステップＳ１００３へ進み、存在しない場合にはステップＳ１００４へ進む。
【０１５５】
ステップＳ１００３：
ステップＳ１００２の判別の結果、既に予約登録されている番組の中で、現在予約しようとしている番組と開始時間が同じ番組が存在する場合、ＣＰＵ２０９は、既に同じ時間に開始される番組が視聴予約登録されている旨の警告メッセージを、ＥＰＧ画面上に表示し、その後、そのまま本処理終了する。
【０１５６】
ステップＳ１００４：
ステップＳ１００２の判別の結果、既に予約登録されている番組の中で、現在予約しようとしている番組と開始時間が同じ番組が存在しない場合、ＣＰＵ２０９は、現在予約しようとしている番組を登録し、当該番組に関する情報（開始時間やチャンネル番号等の情報）を、ＣＰＵ２０９内部のメモリに一時的に記憶すると共に、ＥＰＧ画面上の予約登録番組の表示部分に対して、予約登録されたことを示す表示内容の変更を行うための制御処理を実行する。
【０１５７】
ステップＳ１００５、ステップＳ１００６：
ＣＰＵ２０９は、予約登録番組の開始時間を監視し、当該開始時間が間近になると、次のステップＳ１００７へ進む。
【０１５８】
ステップＳ１００７：
ＣＰＵ２０９は、現在表示装置２１９で再生している放送のチャンネル番号が、予約登録番組のチャンネル番号と一致しているか否かを判別し、この判別の結果、一致している場合には本処理終了とし、一致していない場合に次のステップＳ１００８へ進む。
【０１５９】
ステップＳ１００８、ステップＳ１００９：
ステップＳ１００７の判別の結果、現在再生中の放送のチャンネル番号が予約登録番組のチャンネル番号と一致していない場合、ＣＰＵ２０９は、当該再生画面上に対して、予約登録番組の開始時間が近いことを知らせるメッセージを表示するための制御処理を実行すると共に（ステップＳ１００８）、当該メッセージ表示の開始時間の計測を開始する（ステップＳ１００９）。
次のステップＳ１１１０からの処理が、第１及び第４の実施の形態とは異なる。
【０１６０】
ステップＳ１１１０：
ＣＰＵ２０９は、第２の復調部２０２ｂに対して、放送装置１００から送信される放送波のうち、予約登録された番組が行われるチャンネルが属する周波数帯を復調するように指示する。
ステップＳ１１１１：
ＣＰＵ２０９は、ステップＳ１１１０の処理実行と共に、映像信号合成処理部２０７ａに対して、第１の映像復号化部２０６ａから出力される映像データ（メインの映像データ）に、縮小処理部２０７ｂで縮小処理された映像データ（第２の映像復号化部２０６ｂの出力を縮小した映像データ）を重ね合わせて出力するように指示する。
【０１６１】
したがって、映像信号合成処理部２０７ｂは、ＣＰＵ２０９からの指示に従って、第１の映像復号化部２０６ａから出力される映像データ（メインの映像データ）に対して、縮小処理部２０７ｂで縮小処理された映像データ（視聴予約された番組の縮小映像データ）を重ね合わせて出力する。
映像信号合成処理部２０７ｂの出力データ（合成映像データ）は、受像装置２０の有する表示部、或いは外部に接続された表示装置２１９で表示（再生）される。
【０１６２】
図１７は、この時の状態の表示画面１２００の一例を示したものである。
上記図１７に示すように、表示画面１２００では、メインの映像１２０１上に、視聴予約された番組の縮小映像１２０２が表示されている。
【０１６３】
ステップＳ１１１２：
ＣＰＵ２０９は、再生する放送のチャンネル番号がユーザ（視聴者）から切り替えられたか否かを判別し、この判別の結果、チャンネル切り替え（変更）有りの場合にはステップＳ１１１４へ進み、チャンネル切り替え無しの場合にはステップＳ１１１３へ進む。
【０１６４】
ステップＳ１１１３：
ステップＳ１１１２の判別の結果、チャンネル切り替え無しの場合、ＣＰＵ２０９は、予約登録された番組の開始時間が近いことを知らせるメッセージを表示画面上に表示してから所定の時間が経過したか否かを判別し、この判別の結果、所定時間経過したと判断した場合には次のステップＳ１１１４へ進み、そうでない場合には再びステップＳ１１１２からの処理を繰り返し実行する。
【０１６５】
ステップＳ１１１４、ステップＳ１１１５：
ステップＳ１１１２の判別の結果によりチャンネル変更有りの場合、又はステップＳ１１１３の判別の結果により所定時間経過した場合、ＣＰＵ２０９内部のメモリに一時的に記憶した予約登録番組に関する情報を抹消し（ステップＳ１１１４）、その後、予約登録番組の開始時間が近いことを知らせるメッセージを消去するための制御処理を実行し（ステップＳ１１１５）、本処理終了する。
【０１６６】
以上説明したように、本実施の形態では、視聴予約が行われた番組、或いは番目組を構成する項目の開始時間が近づき、且つ現在表示画面上で再生している放送のチャンネル番号が予約登録された番組のチャンネル番号と一致していない場合、予約登録された番組の開始時間が近いことを知らせるメッセージを表示画面上に表示すると共に、予約登録された番組を、現在視聴している番組（メインの映像）の上に子画面として表示するように構成したので、ユーザは、予約登録した番組の視聴を行えると共に、現在視聴している番組をも継続して視聴し続けることが可能となる。
【０１６７】
[第６の実施の形態]
第５の実施の形態では、放送装置１００が、電子番組表（ＥＰＧ）を生成するための番組情報及び番組構成情報を映像データ及び音声データと共に送信し、受像装置２００が、放送装置１００からの番組情報に基づきＥＰＧを生成し、更に番組を構成する項目に関する情報（番組構成情報）が放送装置１００から提供されている場合には当該番組構成情報をもＥＰＧへ反映させ、ＥＰＧ上から番組単位或いは番組を構成する項目単位で視聴予約可能なように構成し、さらに、視聴予約がなされた番組或いは番組を構成する項目の開始時間が近づき、且つ現在表示画面上で再生している番組のチャンネルが視聴予約された番組のチャンネル番号と一致していない場合、視聴予約された番組の開始時間が近いことを知らせるメッセージを表示画面上に表示すると共に、予約登録された番組を、現在視聴している番組（メインの映像）の上に子画面として表示するように構成することで、ユーザが、予約登録した番組の視聴を行えると共に、現在視聴している番組をも継続して視聴し続けることが可能となるようにした。
【０１６８】
本実施の形態では、視聴予約がなされた番組或いは番組を構成する項目の開始時間が近づき、且つ現在表示画面上で再生している番組のチャンネルが視聴予約された番組のチャンネル番号と一致していない場合、視聴予約された番組の開始時間が近いことを知らせるメッセージを表示画面上に表示すると共に、予約登録された番組を現在視聴している番組（メインの映像）の上に子画面として表示するのではなく、予約登録された番組の映像と、メインの映像とが重ならないように表示する。
【０１６９】
このため、本実施の形態における受像装置２００は、例えば、図１８に示すように、特に、メインの映像データを縮小処理する第１の縮小処理部２０７ｂ´を設けた構成としている。
【０１７０】
以下、本実施の形態における受像装置２００の構成及び動作について具体的に説明する。
尚、ここでは、第１及び第５の実施の形態と異なる構成及び動作についてのみ、具体的に説明する。
【０１７１】
まず、本実施の形態の受像装置２００は、上記図１５に示した構成と同様に、上記図１８に示すように、第１の復調部２０２ａ、第２の復調部２０２ｂ、第１の誤り訂正部２０３ａ、第２の誤り訂正部２０３ｂ、第１の多重分離部２０４ａ、第２の多重分離部２０４ｂ、第１の映像復号化部２０６ａ、及び第２の映像復号化部２０６ｂを設けた構成としているが、映像信号処理部２０７に対して、第１の映像復号化部２０６ａの出力を縮小処理する第１の縮小処理部２０７（１）と、第２の映像復号化部２０６ｂの出力を縮小処理する第２の縮小処理部２０７（２）と、第１の縮小処理部２０７（１）及び第２の縮小処理部２０７（２）の各出力を合成処理する映像信号合成処理部２０７（３）とを設けた構成としている。
【０１７２】
第１の縮小処理部２０７ａ´は、通常動作（予約登録された番組の映像を表示する必要がないときの動作）では何も処理を実行せず、第１の映像復号化部２０６ａから出力される映像データをそのまま出力し、ＣＰＵ２０９から縮小処理実行の指示を受けた場合に、第１の映像復号化部２０６ａから出力される映像データを縮小処理して後段の映像信号合成処理部２０７（３）に対して出力する。
【０１７３】
尚、第１の縮小処理部２０７（１）及び第２の縮小処理部２０７（２）において、映像の縮小処理としては、例えば、縮小率に応じて画素を間引く単純間引き等の一般的な手法を用いた処理が実行される。
【０１７４】
映像信号合成処理部２０７（３）は、例えば、図１９に示すように、動画像切り替えプレーン部１３０１、動画静止画像プレーン部１３０２、動画像切り替えスイッチ１３０３、動画静止画切り替えスイッチ１３０４、及び静止画情報プレーン部１３０５を備えた構成としており、このような構成により、第１の縮小処理部２０７（１）から出力される映像データ（第１の映像データ）、第２の縮小処理部２０７（２）から出力される映像データ（第２の映像データ）、及びＣＰＵ２０９から出力される静止画データ（放送装置１００から衛星３３０を介して送信される番組情報や番組構成情報を含む各種データ情報から生成される静止画データ）を合成する。
【０１７５】
動画像切り替えプレーン部１３０１は、第１の縮小処理部２０７（１）から出力される第１の映像データ（メインの映像データ）と、第２の縮小処理部２０７（２）から出力される第２の映像データ（視聴者から視聴予約された番組の映像データ）のうち、何れの映像データを出力するか選択する情報を記憶する。
動画静止画像プレーン部１３０２は、第１の縮小処理部２０７（１）から出力される第１の映像データ（メインの映像データ）と、第２の縮小処理部２０７（２）から出力される第２の映像データ（視聴者から視聴予約された番組の映像データ）と、ＣＰＵ２０９からの静止画データ（放送装置１００から衛星３３０を介して送信される番組情報や番組構成情報を含む各種データから生成された静止画データ）のうち、何れのデータを出力するか選択する情報を記憶する。
【０１７６】
動画像切り替えプレーン部１３０１及び動画静止画像プレーン部１３０２はそれぞれ、受像装置２００が有する表示部、或いは外部に接続された表示装置２１９の表示領域と同様の情報領域を有し、当該情報領域に対して情報記憶する。
また、動画像切り替えプレーン部１３０１及び動画静止画像プレーン部１３０２において、記憶される情報は、例えば、二値の情報である。さらに具体的には、“１”の場合は一方の入力情報を選択し、“０”の場合は他方の入力情報を選択するという二者選択の情報を示すものであり、このような情報はＣＰＵ２０９から自由に設定可能である。
【０１７７】
静止画情報プレーン部１３０５は、静止画としてのデータを記憶する。この静止画情報プレーン部１３０５についても、受像装置２００が有する表示部、或いは外部に接続された表示装置２１９の表示領域と同様の情報領域を有し、当該情報領域に対して情報（ＣＰＵ２０９からの、放送装置１００から衛星３３０を介して送信される番組情報や番組構成情報を含む各種データから生成された静止画データ）を記憶する。
【０１７８】
動画像切り替えスイッチ１３０３は、動画像切り替えプレーン部１３０１の記憶データに基づいて、第１の縮小処理部２０７（１）から出力されるメインの映像データと、第２の縮小処理部２０７（２）から出力される映像データ（視聴者により視聴予約された番組の映像データ）とのうち、一方の映像データを選択して出力する。
動画静止画切り替えスイッチ１３０４は、動画静止画切り替えプレーン部１３０２の記憶データに基づいて、動画像切り替えスイッチ１３０３で選択された映像データと、静止画情報プレーン部２２７５の記憶データ（静止画データ）との何れか一方を選択して出力する。
【０１７９】
上述のような構成により、動画像切り替えプレーン部１３０１と動画静止画切り替えプレーン部１３０２の記憶情報に従って、メインの番組の映像（第１の映像データ）と、視聴者により視聴予約された番組の映像（第２の映像情データ）とを、重ならない位置で合成し、更に第２の映像データと第２の映像データで使用しない領域に対して、ＣＰＵ２０９から出力される静止画（例えば、予約登録された番組の開始時間が近いことを知らせるメッセージ等）を合成した表示画像が生成されることになる。
【０１８０】
図２０は、上記の表示画面１４００の一例を示したものである。
上記図２０に示すように、表示画面１４００では、メインの番組の映像（第１の映像データ）１４０１、視聴者により視聴予約された番組の映像（第２の映像情データ）１４０２、及び予約登録された番組の開始時間が近いことを知らせるメッセージ１４０３がそれぞれ、重なり合わない状態で表示されている。
【０１８１】
図２１は、上記図１８に示した受像装置２００において、ユーザから視聴予約が行われた後の、ＣＰＵ２０９で実行される処理をフローチャートにより示したものである。
【０１８２】
尚、第１の実施の形態と同様に、以下に説明する処理は、ＥＰＧ画面上の番組の中の項目に対して視聴予約された場合に限られるものではなく、番組全体を視聴予約された場合にも同様の処理の流れとなる。したがって、ここでの「番組」という表現には、１つの番組を指す以外に、ある番組の中の項目を指すものとする。
また、ユーザ（視聴者）から、電子番組表（ＥＰＧ画面）上から番組の視聴予約が行なわれ、視聴予約された番組の開始時間が近づき、当該番組の開始時間が近いことを知らせるメッセージを表示画面上に表示するまでの処理（ステップＳ１００１〜ステップＳ１００９）の流れは、第１の実施の形態（上記図８参照）における処理（ステップＳ５０１〜ステップＳ５０９）と同様である。
【０１８３】
ステップＳ１００１：
ユーザは、ＥＰＧ画面上から、所望する番組の視聴予約を実行する。
ＣＰＵ２０９は、ユーザからの視聴予約を認識し、ユーザが視聴予約しようとしている番組の開始時間が、現在の時刻よりも後であるか否かを判別し、この判別の結果、視聴予約の開始時間が現在の時刻よりも後である場合のみ次のステップＳ１００２からの処理を実行し、視聴予約の開始時間が現在の時刻よりも後でない場合（予約しようとしている番組の開始時間よりも現在の時刻が過ぎている場合）にはそのまま本処理終了とする。
【０１８４】
ステップＳ１００２：
ステップＳ１００１の判別の結果、ユーザが視聴予約しようとしている番組の開始時間が、現在の時刻よりも後である場合、ＣＰＵ２０９は、既に予約登録されている番組の中で、現在予約しようとしている番組と開始時間が同じ番組が存在するか否かを判別する。
この判別の結果、存在する場合にはステップＳ１００３へ進み、存在しない場合にはステップＳ１００４へ進む。
【０１８５】
ステップＳ１００３：
ステップＳ１００２の判別の結果、既に予約登録されている番組の中で、現在予約しようとしている番組と開始時間が同じ番組が存在する場合、ＣＰＵ２０９は、既に同じ時間に開始される番組が視聴予約登録されている旨の警告メッセージを、ＥＰＧ画面上に表示し、その後、そのまま本処理終了する。
【０１８６】
ステップＳ１００４：
ステップＳ１００２の判別の結果、既に予約登録されている番組の中で、現在予約しようとしている番組と開始時間が同じ番組が存在しない場合、ＣＰＵ２０９は、現在予約しようとしている番組を登録し、当該番組に関する情報（開始時間やチャンネル番号等の情報）を、ＣＰＵ２０９内部のメモリに一時的に記憶すると共に、ＥＰＧ画面上の予約登録番組の表示部分に対して、予約登録されたことを示す表示内容の変更を行うための制御処理を実行する。
【０１８７】
ステップＳ１００５、ステップＳ１００６：
ＣＰＵ２０９は、予約登録番組の開始時間を監視し、当該開始時間が間近になると、次のステップＳ１００７へ進む。
【０１８８】
ステップＳ１００７：
ＣＰＵ２０９は、現在表示装置２１９で再生している放送のチャンネル番号が、予約登録番組のチャンネル番号と一致しているか否かを判別し、この判別の結果、一致している場合には本処理終了とし、一致していない場合に次のステップＳ１００８へ進む。
【０１８９】
ステップＳ１００８、ステップＳ１００９：
ステップＳ１００７の判別の結果、現在再生中の放送のチャンネル番号が予約登録番組のチャンネル番号と一致していない場合、ＣＰＵ２０９は、当該再生画面上に対して、予約登録番組の開始時間が近いことを知らせるメッセージを表示するための制御処理を実行すると共に（ステップＳ１００８）、当該メッセージ表示の開始時間の計測を開始する（ステップＳ１００９）。
次のステップＳ１５１０からの処理が、第１及び第５の実施の形態とは異なる。
【０１９０】
ステップＳ１５１０：
ＣＰＵ２０９は、映像信号合成処理部２０７（３）の動画像切り替えプレーン部１３０１、動画静止画切り替えプレーン部１３０２、及び静止画情報プレーン部１３０５に対して、動画像の切り替え情報、動画静止の両切り替え情報、及び合成される静止画の情報を設定する。
【０１９１】
ステップＳ１５１１：
ＣＰＵ２０９は、第２の復調部２０２ｂに対して、放送装置１００から送信される放送波のうち、予約登録された番組が行われるチャンネルが属する周波数帯を復調するように指示する。
ステップＳ１５１２：
ＣＰＵ２０９は、ステップＳ１５１１の処理実行と共に、第１の縮小処理部２０７（１）に対して、入力される映像データを縮小処理して出力するように指示する。
【０１９２】
ステップＳ１５１０〜ステップＳ１５１２の処理により、映像信号合成処理部２０７（３）において、動画像切り替えプレーン部１３０１と動画静止画切り替えプレーン部１３０２の記憶情報に従って、メインの番組の映像（第１の映像データ）と、視聴者により視聴予約された番組の映像（第２の映像情データ）とを、重ならない位置で合成し、更に第２の映像データと第２の映像データで使用しない領域に対して、ＣＰＵ２０９から出力される静止画（例えば、予約登録された番組の開始時間が近いことを知らせるメッセージ等）を合成した表示画像が生成される。この合成表示画像は、受像装置２００が有する表示部、或いは外部に接続された表示装置２１９で表示（再生）される（上記図２０参照）。
【０１９３】
ステップＳ１５１３：
ＣＰＵ２０９は、再生する放送のチャンネル番号がユーザ（視聴者）から切り替えられたか否かを判別し、この判別の結果、チャンネル切り替え（変更）有りの場合にはステップＳ１５１４へ進み、チャンネル切り替え無しの場合にはステップＳ１５１３へ進む。
【０１９４】
ステップＳ１５１４：
ステップＳ１５１３の判別の結果、チャンネル切り替え無しの場合、ＣＰＵ２０９は、予約登録された番組の開始時間が近いことを知らせるメッセージを表示画面上に表示してから所定の時間が経過したか否かを判別し、この判別の結果、所定時間経過したと判断した場合には次のステップＳ１５１５へ進み、そうでない場合には再びステップＳ１５１３からの処理を繰り返し実行する。
【０１９５】
ステップＳ１５１５、ステップＳ１５１６：
ステップＳ１５１３の判別の結果によりチャンネル変更有りの場合、又はステップＳ１５１４の判別の結果により所定時間経過した場合、ＣＰＵ２０９内部のメモリに一時的に記憶した予約登録番組に関する情報を抹消し（ステップＳ１５１５）、その後、予約登録番組の開始時間が近いことを知らせるメッセージを消去するための制御処理を実行し（ステップＳ１５１６）、本処理終了する。
【０１９６】
以上説明したように、本実施の形態では、視聴予約が行われた番組、或いは番目組を構成する項目の開始時間が近づき、且つ現在表示画面上で再生している放送のチャンネル番号が予約登録された番組のチャンネル番号と一致していない場合、予約登録された番組の開始時間が近いことを知らせるメッセージを表示画面上に表示すると共に、予約登録された番組を、現在視聴している番組（メインの映像）上に重ならないようにして子画面として表示するように構成したので、ユーザは、予約登録した番組の視聴を行えると共に、現在視聴している番組をも、子画面に邪魔されることなく継続して視聴し続けることが可能となる。
【０１９７】
[第７の実施の形態]
本実施の形態では、上記図１に示した受像装置２００において、特に、ＥＰＧ画面上で、それぞれの番組を構成する項目をジャンル分けし、ジャンル別に色分けして表示する。
【０１９８】
以下、本実施の形態における受像装置２００の構成及び動作について具体的に説明する。
尚、ここでは、第１の実施の形態と異なる構成及び動作についてのみ、具体的に説明する。
【０１９９】
図２２は、受像装置２００の映像信号処理部２０７の内部構成を示したものである。
映像信号処理部２０７は、上記図２２に示すように、静止画情報プレーン部１６０１、動画静止画像プレーン部１６０２、カーソルプレーン部１６０３、動画静止画切り替えスイッチ１６０４、及びカーソル合成部１６０５を備えた構成としており、このような構成により、放送装置１０から送信される放送波に含まれる映像データと、ＣＰＵ２０９により生成された画像データとを合成する。
【０２００】
静止画情報プレーン部１６０１は、ＣＰＵ２０９から供給される、放送装置１００から衛星３３０を介して送信される番組情報を含む各種データから生成された情報を静止画情報として記憶する。この静止画情報プレーン部１６０１は、受像装置２００が有する表示部、或いは外部に接続された表示装置２１９の表示領域と同様の情報領域を有し、当該情報領域に対して情報記憶する。
【０２０１】
動画静止画像プレーン部１６０２は、放送装置１００から送信される放送波に含まれる映像データと、静止画情報プレーン部１６０１から出力される静止画データとのうち、何れのデータを選択して出力するかを示す情報を記憶する。この動画静止画像プレーン部１６０２も静止画情報プレーン部１６０１と同様に、受像装置２００が有する表示部、或いは外部に接続された表示装置２１９の表示領域と同様の情報領域を有し、当該情報領域に対して情報記憶する。
【０２０２】
静止画情報プレーン部１６０１及び動画静止画像プレーン部１６０２において、記憶される情報は、例えば、二値の情報である。さらに具体的には、“１”の場合は一方の入力情報を選択し、“０”の場合は他方の入力情報を選択するという二者選択の情報を示すものであり、このような情報はＣＰＵ２０９から自由に設定可能である。
【０２０３】
動画静止画切り替えスイッチ１６０４は、動画静止画切り替えプレーン部１６０２の記憶データに基づいて、放送装置１００から送信される放送波に含まれる映像データと、静止画情報プレーン部１６０１に記憶されたデータ（静止画データ）との何れか一方を選択して出力する。
【０２０４】
カーソルプレーン部１６０３は、ＥＰＧ画面上等で任意の情報を選択するためのカーソルを表示画面上に表示するために、ＣＰＵ２０９が生成するカーソルの形状及び位置に関する情報を記憶する。このカーソルプレーン部１６０３も静止画情報プレーン部１６０１と同様に、受像装置２００が有する表示部、或いは外部に接続された表示装置２１９の表示領域と同様の情報領域を有し、当該情報領域に対して情報記憶する。
【０２０５】
カーソル合成部１６０５は、カーソルプレーン部１６０３の記憶データと、動画静止画切り替えスイッチ１６０４からの出力データとを合成して出力する。
【０２０６】
表示画面上でのカーソルの表示位置は、詳細は後述するリモコン２１５の操作に従って変更される。
【０２０７】
また、ここでは、カーソルの形状及び位置に関する情報が、放送受信装置２００が有する表示部、或いは外部に接続された表示装置２１９の表示領域と同じ情報領域を有するカーソルプレーン部１６０３上に展開されているものとしているが、例えば、カーソルの形状に関する情報のみを記憶しておき、カーソル合成部１６０５が、ＣＰＵ２０９から指定される位置に従って、カーソルの形状を、動画静止画切り替えスイッチ１６０４から出力される映像データに合成して出力するようにしてもよい。
【０２０８】
図３は、受像装置２００の赤外線受光部２１４と通信可能なリモコン２１５の構成を示したものである。
リモコン２１５は、上記図３に示すように、電源ボタン１７０１、メニューボタン１７０２、テンキーボタン群１７０３、二桁入力ボタン１７０４、三桁入力ボタン１７０５、決定ボタン１７０６、十字ボタン１７０７、及びサークルボタン１７０８を備えている。
【０２０９】
電源ボタン１７０１は、受像装置２００或いは表示装置２１９に対する電源ＯＮ／ＯＦＦのためのボタンである。
メニューボタン１７０２は、ＥＰＧ画面の表示や、表示映像の画質を調整するためのメニュー画面の表示を行うためのボタンである。
テンキーボタン群１７０３には、“０”〜“９”の一桁の数字を入力するためのボタンが配置されている。
【０２１０】
二桁入力ボタン１７０４は、二桁の数字入力を指定するためのボタンであり、三桁入力ボタン１７０５は、三桁の数字入力を指定するためのボタンである。
決定ボタン１７０６は、カーソルで選択した情報や、入力した数字等を決定するためのボタンである。
十字ボタン１７０８は、ＥＰＧ画面やメニュー画面を表示している状態で、その画面上で選択している項目を上下左右で移動する、或いは音量や表示しているチャンネル番号を上下する等のために使用するボタンである。
サークルボタン１７０８は、カーソルを任意の方向に移動するためのボタンである。
【０２１１】
図２４は、受信装置２００において、放送装置１００から送信される各種データに含まれる番組情報及び番組構成情報に基づき、電子番組表（ＥＰＧ）を生成する処理を、フローチャートにより示したものである。
例えば、ＣＰＵ２０９が、上記図２４のフローチャートに従った処理プログラムを実行することで、受信装置２００は次のように動作する。
【０２１２】
ステップＳ１８０１、ステップＳ１８０２：
ＣＰＵ２０９は、電子番組表（ＥＰＧ）を生成するために必要な情報として、放送装置１００からの各種データに含まれる番組情報及び番組構成情報とを抽出し（ステップＳ１８０１）、当該番組情報及び番組構成情報から、現在の日時に対応した電子番組表を生成し、これを表示装置２１９（或いは受信装置２００に設けられた表示部等）で表示する（ステップＳ１８０２）。
【０２１３】
ステップＳ１８０３：
ＣＰＵ２０９は、ステップＳ１８０２で生成して表示した電子番組表の中の番組に関連した番組構成情報が存在するか否かを判別し、この判別の結果、存在する場合にはステップＳ１８０４を介してステップＳ１８０５に進み、存在しない場合にはそのままステップＳ１８０５に進む。
【０２１４】
ステップＳ１８０４：
ステップＳ１８０３の判別の結果、表示電子番組表の中の番組に関連した番組構成情報が存在する場合、ＣＰＵ２０９は、表示電子番組表において、該当する番組の欄に、その番組構成情報を表示すると共に、当該番組構成情報が存在することを示す記号を付加して表示する。
【０２１５】
ステップＳ１８０５、ステップＳ１８０６：
ＣＰＵ２０９は、ステップＳ１８０１で取得した番組情報及び番組構成情報からジャンル情報を取得し（ステップＳ１８０５）、当該ジャンル情報に基づいて、表示電子番組表において、番組の枠、或いは番組構成情報の項目を、ジャンル毎に指定の色で描画する（ステップＳ１８０６）。
その後、本処理終了となる。
【０２１６】
図２５は、上記図２４に示した処理実行の結果、電子番組表１９００においてジャンル別に色分けされた状態の一例を示したものである。
電子番組表１９００では、カーソル１９０１の操作により、番組や番組欄に表示された番組構成情報を選択すること等が可能である。
【０２１７】
具体的には、まず、上記図２５は、それぞれの番組或いは番組を構成する項目毎に、ジャンルの指定があるものに関しては、ジャンル毎の色分けが施されている様子を示したものであるが、ここではジャンル毎に色分けされた色の違いを、斜線や、縦縞、或いは網掛け等の模様の違いで示している。
【０２１８】
すなわち、ジャンルが「スポーツ」である番組は縦縞模様で表現し、ジャンルが「ニュース」である番組は左斜線模様で表現し、ジャンルが「ドラマ」である番組は右斜線模様で表現し、ジャンルが「映画」である番組は網掛け模様で表現し、ジャンルが「音楽」である番組は横点線模様で表現し、ジャンルが「天気」である番組は水玉模様で表現している。これらの模様の違いは、実際に着色されている色の違いを示している。
【０２１９】
また、チャンネルＣＨ１０１の番組「音楽１３」、チャンネルＣＨ１０３の番組「スポーツ３２」、及びチャンネルＣＨ１０４の番組「番組４１」の欄に示すように、記号（星印“☆”）により、番組構成情報が存在することを示している。
すなわち、チャンネルＣＨ１０１の番組「音楽１３」、チャンネルＣＨ１０３の番組「メポーツ３２」、及びチャンネルＣＨ１０４の番組「番組４１」の番組欄には、番組の構成項目を示す番組構成情報及び番組構成情報が付加されていることを示す記号（ここでは星印“☆”）が表示される。
【０２２０】
ここで、チャンネルＣＨ１０１の番組「音楽１３」、及びチャンネルＣＨ１０３の番組「スポーツ３２」には番組構成情報が付加されているが、番組全体がそれぞれ音楽とスポーツの放送内容で構成されているため、チャンネルＣＨ１０１の番組「音楽１３」は音楽のジャンルで、チャンネルＣＨ１０３の番組「スポーツ３２」はスポーツのジャンルで、それぞれジャンル分けされている。
【０２２１】
これに対してチャンネルＣＨ１０４の番組「番組４１」に関しては、その番組を構成する項目が、音楽や、スポーツ、或いはニュース等のように多岐のジャンルに渡るため、番組全体としてはジャンル分けは行われず、番組を構成する各項目毎に、番組構成情報に含まれるジャンル情報を元にジャンル分けが行われ、その結果が各項目の先頭に記号として（ここでは四角枠中にジャンル毎の着色を施したもの）付加される。
【０２２２】
図２６は、放送装置１００から送信されてくる番組構成情報のうち、チャンネルＣＨ１０４の番組「番組４１」に関する情報の一例を示したものである。
上記図２６に示すように、番組構成情報には、関連する番組を示すＩＤ番号（番組ＩＤ）、番組を構成する項目、項目毎の開始予定時刻の情報、及び項目毎のジャンル情報が含まれている。
【０２２３】
ＣＰＵ２０９は、上記図２６に示すような番組構成情報のジャンル情報に基づき、番組を構成する各項目のジャンルを識別し、電子番組表において、指定された色でジャンル毎に着色して表示を行う。
【０２２４】
上述のようにしてＣＰＵ２０９により生成された電子番組表は、ＣＰＵ２０９から映像信号処理部２０７に転送され、映像信号処理部２０７において、映像復号化部２０６で得られた映像データと合成されて、受像装置２００が有する表示部、或いは外部に接続された表示装置２１９で表示されることになる。
【０２２５】
図２７は、ジャンル毎に着色される色を指定するための設定画面２０００の一例を示したものである。
この設定画面２０００により、ユーザは所望するの色をジャンル毎に指定することができる。例えば、設定画面２０００からのユーザ操作に従って、ＣＰＵ２０９は、次のような色設定機能を実施する。
【０２２６】
具体的には例えば、先ず、ユーザは、上記図２３に示したようなリモコン２１５のメニューボタン１７０２を操作することで、ジャンル毎の色指定を行うためのメニューを選択し、ジャンル毎に着色される色を指定するための設定画面２０００を、表示装置２１９（或いは受信装置２００に設けられた表示部等）に表示させる。
次に、ユーザは、設定画面２０００において、現在設定されている色を変更したい場合、カーソル２００１を変更したいジャンルの項目部分（色の部分）へ移動させ、リモコン２１５の決定ボタン１７０６を押下する。
【０２２７】
決定ボタン２７０６の押下のタイミングで、例えば、図８に示すような、色指定のための設定画面２１００が表示される。
設定画面２１００では、視聴予約を示すための色を除いた、予め決められた色が設定可能なように表示されている。
【０２２８】
ユーザは、設定画面２１００において、カーソル２００１を所望する色の部分へ移動させ、リモコン２１５の決定ボタン１７０６を押下する。これにより、現在選択されているジャンルに対して、ここで選択された色が設定されることになる。
【０２２９】
図２９は、上記図２５に示した電子番組表１９００において、例えば、チャンネル１０４の「番組４１」の番組構成情報を非表示させた状態の電子番組表１９１０を示したものである。
すなわち、電子番組表１９００では、番組構成情報が存在する番組の欄において、当該番組構成情報の表示／非表示が可能なように構成されている。このような機能は、ＣＰＵ２０９により実施される。
【０２３０】
具体的には例えば、ユーザは、上記図２５に示す状態の電子番組表１９００において、番組構成情報が存在する番組欄の記号（星印“☆”）の部分（ここではチャンネルＣＨ１０４の「番組４１」）へカーソル１９０１を移動させ、リモコン２１５の決定ボタン１７０６を押下する。これにより、現在まで表示されていたチャンネルＣＨ１０４の「番組４１」の番組構成情報が、上記図２９に示すように、非表示状態となる。これとは逆に番組構成情報が表示されていない場合には、表示状態となる。
【０２３１】
図３０及び図３１は、電子番組表上で視聴予約を行う場合の処理を説明するための図である。
ここでは一例として、ユーザ（視聴者）が、上記図５に示した電子番組表１９００上で、チャンネルＣＨ１０４の番組「番組４１」のスポーツのコーナーを視聴予約するものとする。また、以下に説明する視聴予約の機能は、ＣＰＵ２０９により実施される。
【０２３２】
先ず、ユーザは、図３０に示すように、電子番組表１９００上で、カーソル１９０１をチャンネルＣＨ１０４の番組「番組４１」の「スポーツ」の項目のジャンルを示すの色の部分に移動させ、リモコン２１５の決定ボタン１７０６を押下する。これにより、チャンネルＣＨ１０４の番組「番組４１」の「スポーツ」の視聴予約が行われる。
【０２３３】
視聴予約が行われたことにより、「スポーツ」のジャンルを示す色の部分が、黒塗り四角“■”に変化すると共に、番組構成情報が存在することを記号“☆”が“★”に変化する。
【０２３４】
尚、ここでは黒塗り四角“■”や黒塗り星印としているが、これに限られることはなく、視聴予約がなされたことを識別できれば、任意の色で着色するようにしてよい。
【０２３５】
番組構成情報が存在することを示す記号は、例えば、図３１に示すように、チャンネルＣＨ１０４の番組「番組４１」の番組構成情報を非表示としても残るため、ユーザ（視聴者）は、当該番組で視聴予約がされているかどうかを常に知ることができる。
【０２３６】
また、番組構成情報を含まない番組を視聴予約する場合、ユーザは、当該番組欄にカーソル１９０１を移動させ、リモコン２１５の決定ボタン１７０６を押下すればよい。この場合、当該番組欄全体が、視聴予約を示す色で着色される。
【０２３７】
また、チャンネルＣＨ１０４の番組「番組４１」のように、番組が複数の項目にて構成されている場合で、その番組全体を視聴予約する場合、ユーザは、上述したようにして番組構成情報の非表示状態とし、その後、番組構成情報を示す記号以外の部分にカーソル１９０１を移動させ、リモコン２１５の決定ボタン１７０６を押下すればよい。これにより、番組全体を視聴予約することができる。
【０２３８】
図３２は、上述のようにしてユーザから視聴予約が行われた後の、ＣＰＵ２０９で実行される処理をフローチャートにより示したものである。
尚、以下に説明する処理は、ＥＰＧ画面上の番組の中の項目に対して視聴予約された場合に限られるものではなく、番組全体を視聴予約された場合にも同様の処理の流れとなる。したがって、ここでの「番組」という表現には、１つの番組を指す以外に、ある番組の中の項目を指すものとする。
【０２３９】
ステップＳ２２０１：
ユーザは、上記図２５等に示したような電子番組表の画面（ＥＰＧ画面）上から、所望する番組の視聴予約を実行する。
ＣＰＵ２０９は、ユーザからの視聴予約を認識し、ユーザが視聴予約しようとしている番組の開始時間が、現在の時刻よりも後であるか否かを判別し、この判別の結果、視聴予約の開始時間が現在の時刻よりも後である場合のみ次のステップＳ２２０２からの処理を実行し、視聴予約の開始時間が現在の時刻よりも後でない場合（予約しようとしている番組の開始時間よりも現在の時刻が過ぎている場合）にはそのまま本処理終了とする。
【０２４０】
ステップＳ２２０２：
ステップＳ２２０１の判別の結果、ユーザが視聴予約しようとしている番組の開始時間が、現在の時刻よりも後である場合、ＣＰＵ２０９は、既に予約登録されている番組の中で、現在予約しようとしている番組と開始時間が同じ番組が存在するか否かを判別する。
この判別の結果、存在する場合にはステップＳ２２０３へ進み、存在しない場合にはステップＳ２２０４へ進む。
【０２４１】
ステップＳ２２０３：
ステップＳ２２０２の判別の結果、既に予約登録されている番組の中で、現在予約しようとしている番組と開始時間が同じ番組が存在する場合、ＣＰＵ２０９は、例えば、図３３に示すように、既に同じ時間に開始される番組が視聴予約登録されている旨の警告メッセージ１９０２を、ＥＰＧ画面上に表示し、その後、そのまま本処理終了する。
【０２４２】
ステップＳ２２０４：
ステップＳ２２０２の判別の結果、既に予約登録されている番組の中で、現在予約しようとしている番組と開始時間が同じ番組が存在しない場合、ＣＰＵ２０９は、現在予約しようとしている番組を登録し、当該番組に関する情報（開始時間やチャンネル番号等の情報）を、ＣＰＵ２０９内部のメモリに一時的に記憶すると共に、ＥＰＧ画面上の予約登録番組の表示部分に対して、予約登録されたことを示す表示内容の変更を行うための制御処理を実行する。
【０２４３】
具体的には、上述したように、ＣＰＵ２０９は、番組全体が視聴予約された場合には当該番組欄全体を視聴予約を示す色で着色し、番組を構成する任意の項目が視聴予約された場合には当該項目のジャンルを示す色を視聴予約を示す色に変化させると共に、番組構成情報が存在することを示す記号についても視聴予約を示す色に変化させる、という制御処理を実行する。
【０２４４】
ステップＳ２２０５、ステップＳ２２０６：
ＣＰＵ２０９は、予約登録番組の開始時間を監視し、当該開始時間が間近になると、次のステップＳ２２０７へ進む。
【０２４５】
ステップＳ２２０７：
ＣＰＵ２０９は、現在表示装置２１９で再生している放送のチャンネル番号が、予約登録番組のチャンネル番号と一致しているか否かを判別し、この判別の結果、一致している場合には本処理終了とし、一致していない場合に次のステップＳ２２０８へ進む。
【０２４６】
ステップＳ２２０８、ステップＳ２２０９：
ステップＳ２２０７の判別の結果、現在再生中の放送のチャンネル番号が予約登録番組のチャンネル番号と一致していない場合、ＣＰＵ２０９は、上記図９に示したように、当該再生画面６１０上に対して、予約登録番組の開始時間が近いことを知らせるメッセージ６１１を表示するための制御処理を実行すると共に（ステップＳ２２０８）、当該メッセージ表示の開始時間の計測を開始する（ステップＳ２２０９）。
【０２４７】
ステップＳ２２１０：
ＣＰＵ２０９は、再生放送のチャンネル番号がユーザ（視聴者）から切り替えられたか否かを判別し、この判別の結果、チャンネル切り替えなしの場合にはステップＳ２２１１へ進み、チャンネル切り替えありの場合にはステップＳ２２１２へ進む。
【０２４８】
ステップＳ２２１１：
ステップＳ２２１０の判別の結果、再生放送のチャンネル番号がユーザ（視聴者）から切り替えられていない場合、ＣＰＵ２０９は、ステップＳ２２０８でのメッセージ表示開始時間から所定時間が経過したか否かを判別し、この判別の結果、所定時間経過していない場合には再びステップＳ２２１０からの処理を繰り返し実行し、所定時間経過した場合には次のステップＳ２２１２へ進む。
【０２４９】
ステップＳ２２１２、ステップＳ２２１３：
ＣＰＵ２０９は、ＣＰＵ２０９内部のメモリに一時的に記憶した予約登録番組に関する情報を抹消し（ステップＳ２２１２）、その後、上記図９に示したような、予約登録番組の開始時間が近いことを知らせるメッセージ６１１を消去するための制御処理を実行し（ステップＳ２２１３）、本処理終了する。この時点で、番組欄やジャンルを示す色、及び番組構成情報が存在することを示す記号の色をも元に戻される。
【０２５０】
以上説明したように、本実施の形態によれば、１つの放送番組が複数の項目で構成されているような場合であっても、当該番組をジャンルとして分類することができる。また、ＥＰＧ画面上ではジャンル毎に色分けされているので、ユーザは容易に番組、又は番組を構成する任意の項目を認識することができる。
【０２５１】
[第８の実施の形態]
第７の実施の形態では、放送装置１００が、番組毎に、番組名、放送チャンネル、番組のジャンル、出演者等の番組内容の説明、放送開始日時、及び放送終了日時等の情報を示す番組情報を含む放送波を送信し、また、１つの放送番組が複数の項目で構成されているような場合には当該番組を構成する項目毎の番組構成情報を含む放送波を送信され、受信装置２００が、放送装置１００から送信された番組情報及び番組構成情報に基づき電子番組表（ＥＰＧ）を生成するにあたり、１つの放送番組が様々なジャンルにまたがる複数の項目で構成されている場合、各項目毎にジャンル別に分類を行い、ジャンル毎に異なる色で着色するように構成した。これにより、ユーザは、所望するジャンルの番組或いは項目を見つけ出すことが容易にできる。
【０２５２】
しかしながら、第７の実施の形態では、電子番組表を生成するための構成を、受信装置２００に接続される表示装置２１９等の表示領域に対して、表示可能な番組の番組情報或いは番組構成情報を表示し、それら全ての番組情報或いは番組構成情報に対してジャンル分けを行い、ジャンル毎に異なる色で着色を行うような構成としているため、ユーザが複数のジャンルについて検索したい場合には問題ないが、ユーザが１つのジャンルに注目して検索したいという場合、他のジャンルの着色が煩わしいということが考えられる。
【０２５３】
そこで、本実施の形態では、ユーザ１つのジャンルに注目して検索したいというような場合、当該注目ジャンルを指定可能なようにし、当該指定ジャンルの番組情報或いは番組構成情報に対してのみ着色を行うように構成する。
以下、本実施の形態における受像装置２００の構成及び動作について具体的に説明する。
【０２５４】
尚、ここでは、第７の実施の形態と異なる構成及び動作についてのみ、具体的に説明する。
【０２５５】
まず、図３４は、本実施の形態における受信装置２００のＣＰＵ２０９により生成された電子番組表２３００の一例を示したものである。
電子番組表２３００では、その上部に着色するジャンルを選択するためのジャンルタブ２３０３と、全てのジャンルが電子番組表上部の領域に表示しきれない場合に隠れているジャンルをスライドさせて表示させるための左右のスライドタブ２３０２とが設けられている。
【０２５６】
ユーザ（視聴者）は、ジャンルタブ２３０３及びスライドタブ２３０２において、リモコン２１５によりカーソル２３０１を所望のジャンルのタブに移動させ、決定ボタン１７０６を押下することで、所望するジャンルの表示を行える。
【０２５７】
上記図３４の電子番組表２３００では、“全ジャンル”のタブが選択されており、全てのジャンルに対して、ジャンル毎に指定されている色で着色されている。
それぞれのジャンル毎のジャンルタブ２３０３は、ジャンル毎に指定されている色で着色されているものとする。これにより、ユーザ（視聴者）は、電子番組表２３００で着色に使用されている色が何のジャンルを示すのかをジャンルタブ２３０３を見ることで認識することができる。
【０２５８】
図３５は、上記図３４の電子番組表２３００において、ユーザから“ドラマ”のタブが選択された場合の状態の一例を示したものである。
すなわち、ユーザは、リモコン２１５を操作することで、上記図３５に示すように、電子番組表２３００上の“ドラマ”のタブの部分にカーソル２３０１を移動させ、決定ボタン１７０６を押下する。これにより、“ドラマ”のタブが選択され、当該“ドラマ”のタブがジャンルタブの最前列に表示される。
【０２５９】
上記図３５の電子番組表２３００では、ここに表示されている番組情報或いは番組構成情報のうち、ドラマのジャンルに該当する項目のみが、ドラマのジャンルで指定されている色で着色され、それ以外のジャンルに関する番組情報或いは番組構成情報は着色が行われない。
【０２６０】
尚、選択ジャンルのタブ（ここでは“ドラマ”のタブ）の表示方法としては、上記図３５に示したように、選択ジャンルのタブを最前列に表示する方法に限られることはなく、例えば、“全ジャンル”タブの前に移動させて左側に表示する方法や、選択ジャンルのタブに枠付けして選択されたことを強調する、などような様々な表示効果を施す方法等を適用可能である。
【０２６１】
図３６は、上記図３５に示した電子番組表２３００上において、ユーザ（視聴者）がリモコン２１５操作により、スライドタブ２３０２を選択した結果の状態を示したものである。
【０２６２】
ここで、ジャンルタブ２３０３で表示されるジャンルは、ここでは上記図２７に示した、ジャンル毎に着色する色を指定するための画面２０００上に表示されているジャンルの上からの順番で、ジャンルタブ２３０３の左側から順に表示されるものとする。また、ジャンルタブ２３０３上に表示するジャンルの順番は、上記図２７に示した画面２０００上で並びを変えることで、変更が可能なものとする。
【０２６３】
そこで、上記図３５に示した電子番組表２３００上では、上記図２７で示したジャンルのうち、“音楽”のジャンルタブが表示されていない。このとき、ユーザが“音楽”のジャンルを選択したい場合、ユーザは、リモコン２１５を操作するで、上記図３６に示すように、左矢印のスライドタブ２３０２の部分にカーソル２３０１を移動させ、決定ボタン１７０６を押下する。これにより、ジャンルタブ２３０３の項目は、“全ジャンル”のタブを除いて左方向にスライドし、空いたタブの位置に“音楽”のタブが表示される。
【０２６４】
尚、スライドタブ２３０２が操作された時のジャンルタブ２３０３の表示方法としては、例えば、一番最後のジャンルである“音楽”をジャンルタブ２３０３上に表示した後、右方向のスライドタブの押下を無効として、それ以上スライドしないとしても、最初に戻り“スポーツ”のジャンルから再度スライドするものとしても構わない。
また、本実施の形態では、“全ジャンル”のタブはスライドしないものとしたが、他のジャンルタブと共にスライドするものとしても構わない。
【０２６５】
図３７は、本実施の形態の受信装置２００において、放送装置１００から送信される各種データに含まれる番組情報及び番組構成情報に基づき、電子番組表（ＥＰＧ）を生成する処理を、フローチャートにより示したものである。
例えば、ＣＰＵ２０９が、上記図３７のフローチャートに従った処理プログラムを実行することで、受信装置２００は次のように動作する。
【０２６６】
ステップＳ２４０１、ステップＳ２４０２：
ＣＰＵ２０９は、電子番組表（ＥＰＧ）を生成するために必要な情報として、放送装置１００からの各種データに含まれる番組情報及び番組構成情報とを抽出し（ステップＳ２４０１）、当該番組情報及び番組構成情報から、現在の日時に対応した電子番組表を生成すると共に、当該電子番組表に対してジャンルタブ及びスライドタブを付加し、これを表示装置２１９（或いは受信装置２００に設けられた表示部等）で表示する（ステップＳ２４０２）。
【０２６７】
ステップＳ２４０３：
ＣＰＵ２０９は、ステップＳ２４０２で生成して表示した電子番組表の中の番組に関連した番組構成情報が存在するか否かを判別し、この判別の結果、存在する場合にはステップＳ２４０４を介してステップＳ２４０５に進み、存在しない場合にはそのままステップＳ２４０５に進む。
【０２６８】
ステップＳ２４０４：
ステップＳ２４０３の判別の結果、表示電子番組表の中の番組に関連した番組構成情報が存在する場合、ＣＰＵ２０９は、表示電子番組表において、該当する番組の欄に、その番組構成情報を表示すると共に、当該番組構成情報が存在することを示す記号を付加して表示する。
【０２６９】
ステップＳ２４０５、ステップＳ２４０６：
ＣＰＵ２０９は、ステップＳ２４０１で取得した番組情報及び番組構成情報からジャンル情報を取得し（ステップＳ２４０５）、当該ジャンル情報に基づいて、表示電子番組表において、番組の枠、或いは番組構成情報の項目を、ジャンル毎に指定の色で描画する（ステップＳ２４０６）。
【０２７０】
ステップＳ２４０７：
ＣＰＵ２０９は、ユーザからジャンルタブ２３０３又はスライドタブ２３０２の操作待ち状態となり、何れかが操作された場合に、次のステップＳ２４０８に進む。
ステップＳ２４０８：
ＣＰＵ２０９は、ジャンルタブ２３０３とスライドタブ２３０２の何れが操作されたかを判別し、この判別の結果、ジャンルタブ２３０３操作の場合にはステップＳ２４０９に進み、スライドタブ２３０２操作の場合にはステップＳ２４１１に進む。
【０２７１】
ステップＳ２４０９、ステップＳ２４１０：
ステップＳ２４０８の判別の結果、ジャンルタブ２３０３操作の場合、ＣＰＵ２０９は、当該操作により選択されたジャンルのタブを最前列に表示し（ステップＳ２４０９）、電子番組表で表示している番組の枠、或いは番組構成情報の項目のうち、選択されたジャンルのみ指定の色で描画する（ステップＳ２４１０）。
その後、再びステップＳ２４０７へ戻り、以降の処理ステップを繰り返し実行する。
【０２７２】
ステップＳ２４１１〜ステップＳ２４１３：
ステップＳ２４０８の判別の結果、スライドタブ２３０２操作の場合、ＣＰＵ２０９は、左右何れのタブが操作されたのかを判別し（ステップＳ２４１１）、この判別の結果、右のスライドタブが操作された場合、ジャンルタブの項目を右方向にスライドさせ、一方、左のスライドタブが操作された場合、ジャンルタブの項目を左方向にスライドさせ（ステップＳ２４１３）、これにより空きとなったタブ部分に、表示されていないジャンルの項目を順次表示していく。
その後、再びステップＳ２４０７へ戻り、以降の処理ステップを繰り返し実行する。
【０２７３】
上述したように本実施の形態では、ユーザが、１つのジャンルに注目して検索したい、というような場合において、ユーザが注目するジャンルを指定できるようにし、当該指定ジャンルの番組情報或いは番組構成情報に対してのみ、着色を行うように構成したので、ユーザは、注目しているジャンルの番組検索を容易に行うことが可能となる。
また、ユーザに対して、注目するジャンルをタブ状に表示した項目の中から選択させるようにし、さらに、タブをジャンル別に指定された色で着色して表示するように構成したので、ユーザは、電子番組表において、着色に使用している色が何のジャンルを示しているのかを、タブの色を見ることで容易に認識することができる。
【０２７４】
尚、本発明の目的は、第１〜第８の実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が第１〜第８の実施の形態の機能を実現することとなり、そのプログラムコードを記憶した記憶媒体及び当該プログラムコードは本発明を構成することとなる。
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、第１〜第８の実施の形態の機能が実現されるだけでなく、そのプログラムコードの指示に基づき、コンピュータ上で稼動しているＯＳ等が実際の処理の一部又は全部を行い、その処理によって第１〜第８の実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１〜第８の実施の形態の機能が実現される場合も含まれることは言うまでもない。
【０２７５】
【発明の効果】
以上説明したように本発明によれば、番組毎の視聴予約或いは録画予約等する以外に、１つの番組が複数の項目（小番組）で構成されているような場合に、項目毎の視聴予約或いは録画予約等を行うことが可能となる。
【０２７６】
また、１つの番組が、様々なジャンルにまたがる複数の項目（小番組）で構成されているような場合であっても、各項目毎にジャンル分けを行うことができるため、これらの項目の中から所望のジャンルの項目を容易に見つけ出すことができる。
【図面の簡単な説明】
【図１】第１の実施の形態において、本発明を適用したディジタル衛星放送システムの構成を示すブロック図である。
【図２】上記ディジタル衛星放送システムの受像装置で生成される電子番組表を説明するための図である。
【図３】上記番組構成情報に含まれる情報の一例を説明するための図である。
【図４】上記電子番組表の表示画面の一例を説明するための図である。
【図５】上記電子番組表の表示画面において、上記番組構成情報を非表示とした状態の画面の一例を説明するための図である。
【図６】上記電子番組表の表示画面において、番組全体に対して視聴予約された状態の画面の一例を説明するための図である。
【図７】上記電子番組表の表示画面において、視聴予約を行う際に、既に同じ開始時間で予約登録されていることを通知する警告メッセージを説明するための図である。
【図８】上記受像装置の動作を説明するためのフローチャートである。
【図９】上記受像装置の表示画面において、視聴予約された番組の開始時間が近いことを通知するメッセージを説明するための図である。
【図１０】第２の実施の形態における上記受像装置の動作を説明するためのフローチャートである。
【図１１】上記受像装置で表示されている上記電子番組表の画面において、上記番組構成情報が表示される様子を説明するための図である。
【図１２】第３の実施の形態における上記受像装置の構成を示すブロック図である。
【図１３】上記受像装置において、視聴予約後の動作を説明するためのフローチャートである。
【図１４】第４の実施の形態における上記視聴予約後の動作を説明するためのフローチャートである。
【図１５】第５の実施の形態における上記受像装置の構成を示すブロック図である。
【図１６】上記受像装置の動作を説明するためのフローチャートである。
【図１７】上記受像装置において、視聴予約された番組表示画面の一例を説明するための図である。
【図１８】第６の実施の形態における上記受像装置の構成を示すブロック図である。
【図１９】上記受像装置の映像信号合成処理部の構成を示すブロック図である。
【図２０】上記受像装置において、視聴予約された番組表示画面の他の例を説明するための図である。
【図２１】上記受像装置の動作を説明するためのフローチャートである。
【図２２】第７の実施の形態における上記受像装置の映像信号処理部の構成を示すブロック図である。
【図２３】上記受像装置のリモートコントローラを説明するための図である。
【図２４】上記受像装置において、上記電子番組表を表示する処理を説明するためのフローチャートである。
【図２５】上記電子番組表の表示画面の一例を説明するための図である。
【図２６】上記番組構成情報に含まれる情報の一例を説明するための図である。
【図２７】上記受像装置において、各ジャンル毎に識別色を設定するための画面の一例を説明するための図である。
【図２８】上記設定画面において、色指定するための画面の一例を説明するための図であれる。
【図２９】上記電子番組表の表示画面において、上記番組構成情報を非表示とした場合の状態を説明するための図である。
【図３０】上記表示画面上において、上記番組構成情報の項目が視聴予約された場合の状態を説明するための図である。
【図３１】上記表示画面上において、上記番組構成情報の項目が視聴予約された後で、上記番組構成情報を非表示とした場合の状態を説明するための図である。
【図３２】上記受像装置の動作を説明するためのフローチャートである。
【図３３】上記電子番組表の表示画面において、視聴予約を行う際に、既に同じ開始時間で予約登録されていることを通知する警告メッセージを説明するための図である。
【図３４】第８の実施の形態において、上記受像装置で表示される上記電子番組表の画面の一例を説明するための図である。
【図３５】上記表示画面上で任意のジャンルタブ（“ドラマ”タブ）が選択された状態を説明するための図である。
【図３６】上記表示画面上でジャンルがスライドした状態を説明するための図である。
【図３７】上記受像装置の動作を説明するためのフローチャートである。
【符号の説明】
１００  放送装置
１０１  音声素材記憶部
１０２  映像素材記憶部
１０３  番組情報記憶部
１０４  番組構成情報記憶部
１０６  合成器
１０７  音声符号化部
１０８  映像符号化部
１０９  データ符号化部
１１０  多重化部
１１１  誤り訂正情報付加部
１１２  変調部
１１３  送信アンテナ
２００  受像装置
２０１  受信アンテナ
２０２  復調部
２０３  誤り訂正部
２０４  多重分離部
２０５  音声復号化部
２０６  映像復号化部
２０７  映像信号処理部
２０８  データ復号化部
２０９  ＣＰＵ
２１０  Ｉ／Ｏコントローラ
２１１  モデム
２１２  ハードディスク
２１３  ＡＶ機器
２１４  赤外線受光部
２１５  リモートコントローラ
２１６  カードスロット
２１７  ＩＣカード
２１８  スピーカ
２１９  表示装置
３００  ディジタル衛星放送システム
３３０  衛星
【図１】
2004194222.tif 000003
【図２】
2004194222.tif 000004
【図３】
2004194222.tif 000005
【図４】
2004194222.tif 000006
【図５】
2004194222.tif 000007
【図６】
2004194222.tif 000008
【図７】
2004194222.tif 000009
【図８】
2004194222.tif 000010
【図９】
2004194222.tif 000011
【図１０】
2004194222.tif 000012
【図１１】
2004194222.tif 000013
【図１２】
2004194222.tif 000014
【図１３】
2004194222.tif 000015
【図１４】
2004194222.tif 000016
【図１５】
2004194222.tif 000017
【図１６】
2004194222.tif 000018
【図１７】
2004194222.tif 000019
【図１８】
2004194222.tif 000020
【図１９】
2004194222.tif 000021
【図２０】
2004194222.tif 000022
【図２１】
2004194222.tif 000023
【図２２】
2004194222.tif 000024
【図２３】
2004194222.tif 000025
【図２４】
2004194222.tif 000026
【図２５】
2004194222.tif 000027
【図２６】
2004194222.tif 000028
【図２７】
2004194222.tif 000029
【図２８】
2004194222.tif 000030
【図２９】
2004194222.tif 000031
【図３０】
2004194222.tif 000032
【図３１】
2004194222.tif 000033
【図３２】
2004194222.tif 000034
【図３３】
2004194222.tif 000035
【図３４】
2004194222.tif 000036
【図３５】
2004194222.tif 000037
【図３６】
2004194222.tif 000038
【図３７】
2004194222.tif 000039